(57)【要約】【課題】  地球温暖化に対する意識を向上させるととともに、地球温暖化に関する知識を親しみやすく、わかりやすく伝えることを可能とする。【解決手段】  環境に関する情報を記憶する記憶手段１０と、植物１００の近傍に設置されるとともに、環境に関する情報を表示する表示手段３０と、植物１００に人が接近又は接触したことを検出する検出装置５０ａと、この検出装置５０ａからの検出信号にもとづき、表示手段３０に環境に関する情報を表示させる制御手段４０ａとを備えた【選択図】    図１
2008268381.tif 000002
【特許請求の範囲】
【請求項１】
環境に関する情報を表示する環境情報表示システムであって、
前記環境に関する情報を記憶する記憶手段と、
前記環境に関する情報を表示する表示手段と、
植物に人が接近又は接触したことを検出する検出手段と、
この検出手段からの検出信号にもとづき、前記表示手段に前記環境に関する情報を表示させる制御手段とを備えた
ことを特徴とする環境情報表示システム。
【請求項２】
前記環境に関する情報が、エネルギーを消費する所定の物が稼動したときの温室効果ガスの排出量、植物による温室効果ガスの吸収量又は固定量、前記温室効果ガスの排出量をすべて吸収し得る植物の本数のいずれか一つ以上を含む
ことを特徴とする請求項１記載の環境情報表示システム。
【請求項３】
植物の幹周りの長さを示す幹周り情報と、前記植物の区分又は名称を特定する植物特定情報とを入力するデータ登録装置を備え、
前記制御手段は、前記幹周り情報及び／又は前記植物特定情報にもとづいて前記植物による温室効果ガスの吸収量を算出する
ことを特徴とする請求項１又は２記載の環境情報表示システム。
【請求項４】
前記植物が植えられた用土の水分の状態を検出する水分検出手段を備え、
前記制御手段が、前記用土の水分の状態にもとづいて、前記表示手段に所定の情報を表示させる
ことを特徴とする請求項１〜３のいずれかに記載の環境情報表示システム。
【請求項５】
前記植物を複数備え、
前記制御手段が、前記人の接近又は接触した植物にもとづいて、前記表示手段に所定の情報を表示させる
ことを特徴とする請求項１〜４のいずれかに記載の環境情報表示システム。
【請求項６】
前記植物を複数備え、
人が異なる植物に接近又は接触すると、前記制御手段が、前記表示手段に表示されていた情報を他の情報に切り換えて表示させる
ことを特徴とする請求項５記載の環境情報表示システム。
【請求項７】
背の高い植物と背の低い植物とを備え、
背の高い植物又は背の低い植物のうちの一方に人が接近又は接触したことが前記検出手段で検出されると、前記制御手段は、前記表示手段に表示された画面の全体を切り換え、
他方に人が接近又は接触したことが前記検出手段で検出されると、前記制御手段は、前記表示手段に表示された画面の一部を切り換える
ことを特徴とする請求項１〜６のいずれかに記載の環境情報表示システム。
【請求項８】
前記植物に接近又は接触する人数の多少を検出する人数検出手段を備え、
前記制御手段が、前記人数の多少にもとづいて、前記表示手段に所定の情報を表示させる
ことを特徴とする請求項１〜７のいずれかに記載の環境情報表示システム。
【請求項９】
環境に関する情報を表示する環境情報表示方法であって、
植物に人が接近又は接触したことを検出手段が検出すると、制御手段が、記憶手段から前記環境に関する情報を取り出して表示手段に表示させる
ことを特徴とする環境情報表示方法。
【請求項１０】
環境に関する情報を表示する処理を環境情報表示システムに実行させる環境情報表示プログラムであって、
植物に人が接近又は接触したことを検出すると、記憶手段から前記環境に関する情報を取り出して表示手段に表示させる処理を前記環境情報表示システムに実行させる
ことを特徴とする環境情報表示プログラム。
【発明の詳細な説明】
【技術分野】
【０００１】
本発明は、環境に関する情報を表示する環境情報表示システム、環境情報表示方法及び環境情報表示プログラムに関し、特に、環境の改善に寄与する植物に触れることで、環境に関する種々の情報を得ることが可能な環境情報表示システム、環境情報表示方法及び環境情報表示プログラムに関する。
【背景技術】
【０００２】
近年、環境問題、特に地球温暖化の問題は、国際的に取り組まれている重要課題の一つとなっている。
地球温暖化とは、地球表面の大気や海洋の平均気温が上昇する現象をいうが、これに伴う二次的被害が問題となっている。
例えば、異常気象の発生、砂漠化の進展、氷原・氷床の減少、海岸の浸食、さらには生物種の減少、農作物の不作など、自然環境だけでなく人間の生活にまで深刻な影響を与えつつある。
【０００３】
ところで、この地球温暖化が起こる原因を説明するものに温暖化人為説がある。これは、化石燃料の燃焼やその他の人間活動（農業や森林破壊など）によって、二酸化炭素（以下、「ＣＯ２」という。）に代表される温室効果ガスの排出量が増加したことが地球温暖化の原因であるとする説である。
ＣＯ２の排出量は、世界では約２５２億トン、日本では約１２３億トンと推定されている（ＥＤＭＣ／エネルギー・経済統計要覧２００６年版）。この数字は、年々増加していることから、この増加を抑えて地球温暖化に歯止めを掛けようとする動きが国や民間の間で活発に行なわれている。
【０００４】
我が国では、京都議定書を受けてＣＯ２の削減目標を掲げ、この目標を達成するよう、産業・民生・運輸の各部門に働きかけを行なっている。そして、製造業等の産業部門では、工場等が個々に目標を設定するなどしてＣＯ２排出の低減に努めている。
また、市民レベルでも、環境保護に対する意識は高まってきており、小規模ではあるがさまざまな工夫がなされている。例えば、節電などの省エネルギー、ゴミの量の削減、ＥＣＯ製品の購入などが挙げられる。
【０００５】
これらは、温室効果ガスの排出量を抑える動きであるが、一方で、排出された温室効果ガスを植物に吸収させて蓄積・固定する動きもある。森林面積の拡大や都市緑化の推進がそれである。
植物は、光合成をするときにＣＯ２を大気中から吸収する。この吸収したＣＯ２は、植物内や土壌内に蓄積・固定される。このように、植物は、ＣＯ２を取り込んで大気を浄化する役割を担っているが、その一方で、人間による森林の伐採や、地球温暖化による砂漠化の進展などから、ＣＯ２の固定量は年々減っていると推定されている。
このＣＯ２固定量を確保し増加させる取り組みとして、上述した森林面積の拡大等が行なわれているのである。
なお、植物のＣＯ２固定による大気浄化に関する技術は、従来から種々提案されている（例えば、特許文献１、２参照。）。
【特許文献１】特開２００４−１１３７０２号公報
【特許文献２】特開２００５−０７３６８０号公報
【発明の開示】
【発明が解決しようとする課題】
【０００６】
しかしながら、地球温暖化の問題は、一時的な対応で解決するようなものではなく、長期的視点に立って取り組まなければならない問題である。
また、国家間だけでなく、国民レベルでの問題意識の高まりがさらに必要であり、そのための啓蒙活動が重要となっている。
【０００７】
さらに、地球温暖化への関心を促すためには、より身近な内容で、しかも親しみやすく、わかりやすく伝えることが大切である。
そのためにも、生活の中で、遊び心とともに、地球温暖化に関する知識を習得できるような発明の提案が望まれていた。
【０００８】
本発明は、上記の事情にかんがみなされたものであり、地球温暖化に対する意識を向上可能とするととともに、地球温暖化に関する知識を親しみやすく、わかりやすく伝えることが可能な環境情報表示システム、環境情報表示方法及び環境情報表示プログラムの提供を目的とする。
【課題を解決するための手段】
【０００９】
この目的を達成するため、本発明の環境情報表示システムは、環境に関する情報を表示する環境情報表示システムであって、環境に関する情報を記憶する記憶手段と、環境に関する情報を表示する表示手段と、植物に人が接近又は接触したことを検出する検出手段と、この検出手段からの検出信号にもとづき、表示手段に環境に関する情報を表示させる制御手段とを備えた構成としてある。
【００１０】
環境情報表示システムをこのような構成とすると、環境に関する情報が表示手段に表示されるため、それを見た者に対し、地球温暖化に対する意識を向上させることができる。
しかも、その者が植物に接近または接触することで環境情報が表示されることから、親しみをもってその情報を得ることができる。
【００１１】
また、本発明の環境情報表示システムは、環境に関する情報を、エネルギーを消費する所定の物が稼動したときの温室効果ガスの排出量、植物による温室効果ガスの吸収量、温室効果ガスの排出量をすべて吸収し得る植物の本数のいずれか一つ以上を含む構成とすることができる。
【００１２】
環境情報表示システムをこのような構成とすれば、環境に関する情報、特に地球温暖化に関係した情報を、親しみやすく、わかりやすく人に伝えることができる。
【００１３】
また、本発明の環境情報表示システムは、植物の幹周りの長さを示す幹周り情報と、植物の区分又は名称を特定する植物特定情報とを入力するデータ登録装置を備え、制御手段は、幹周り情報及び／又は植物特定情報にもとづいて植物による温室効果ガスの吸収量を算出する構成とすることができる。
【００１４】
環境情報表示システムをこのような構成とすると、その場に植えられている植物についての環境情報を表示手段に表示させることができる。このため、より具体的な内容でわかりやすく環境情報を人に伝えることができる。
【００１５】
また、本発明の環境情報表示システムは、植物が植えられた用土の水分の状態を検出する水分検出手段を備え、制御手段が、用土の水分の状態にもとづいて、表示手段に所定の情報を表示させる構成とすることができる。
環境情報表示システムをこのような構成とすれば、用土の水分に関することを表示手段に表示させることができる。これにより、水分を用土に補給するなどの措置を講ずることができる。
【００１６】
また、本発明の環境情報表示システムは、植物を複数備え、制御手段が、人の接近又は接触した植物にもとづいて、表示手段に所定の情報を表示させる構成とすることができる。
環境情報表示システムをこのような構成とすると、人の数に応じて環境情報を表示手段に表示させることができる。このため、楽しみながら環境情報について知得できる。
【００１７】
また、本発明の環境情報表示システムは、植物を複数備え、人が異なる植物に接近又は接触すると、制御手段が、表示手段に表示されていた情報を他の情報に切り換えて表示させる構成とすることができる。
環境情報表示システムをこのような構成とすれば、前回触れた植物と異なる植物に触れることで、視聴者自身が自主的に、表示手段に表示された内容を切り換えることができる。このため、視聴者が読み終わるまでその表示内容を表示させておくことができる。また、植物に次々触れることで表示内容がどんどん変わっていく様子を楽しむことができる。さらに、植物に関する情報を表示させることで、樹種や区分の異なる植物についての様々な情報をその場で知得できる。
【００１８】
また、本発明の環境情報表示システムは、背の高い植物と背の低い植物とを備え、背の高い植物又は背の低い植物のうちの一方に人が接近又は接触したことが前記検出手段で検出されると、前記制御手段は、前記表示手段に表示された画面の全体を切り換え、他方に人が接近又は接触したことが前記検出手段で検出されると、前記制御手段は、前記表示手段に表示された画面の一部を切り換える構成とすることができる。
【００１９】
環境情報表示システムをこのような構成とすると、触った植物によって表示内容を変えることができる。これにより、楽しみながら環境に関する情報を人に伝えることができる。
【００２０】
また、本発明の環境情報表示システムは、植物に接近又は接触する人数の多少を検出する人数検出手段を備え、制御手段が、人数の多少にもとづいて、表示手段に所定の情報を表示させる構成とすることができる。
環境情報表示システムをこのような構成とすれば、人の数に応じて表示内容を変えることができる。これにより、楽しみながら環境に関する情報を人に伝えることができる。
【００２１】
また、本発明の環境情報表示方法は、環境に関する情報を表示する環境情報表示方法であって、植物に人が接近又は接触したことを検出手段が検出すると、制御手段が、記憶手段から環境に関する情報を取り出して表示手段に表示させる構成とすることができる。
【００２２】
環境情報表示方法をこのような構成とすると、通行人が目の前の植物に触れることで、環境情報が表示手段に表示されるため、植物という親しみ易い媒体をもって、楽しみながら、環境情報を知ることができる。
【００２３】
また、本発明の環境情報表示プログラムは、環境に関する情報を表示する処理を環境情報表示システムに実行させる環境情報表示プログラムであって、植物に人が接近又は接触したことを検出すると、記憶手段から環境に関する情報を取り出して表示手段に表示させる処理を環境情報表示システムに実行させる構成とすることができる。
【００２４】
環境情報表示プログラムをこのような構成とすれば、植物に触れるという簡易な行動で環境情報を容易に得ることができる。また、植物そのものが人間にとって身近な存在であることから、親しみやすく、楽しみながら、環境情報を得ることができる。
【発明の効果】
【００２５】
以上のように、本発明によれば、表示手段に環境情報を表示させることで、環境問題への意識を高めさせることができる。
また、環境情報の表示が、植物に接近または接触することで行なわれるため、容易かつ親しみやすく、その情報を得ることができる。
さらに、目の前にある植物に関係した環境情報を表示させることで、具体例をもって、わかりやすくその情報を伝えることができる。
【発明を実施するための最良の形態】
【００２６】
以下、本発明に係る環境情報表示システム、環境情報表示方法及び環境情報表示プログラムの好ましい実施形態について、図面を参照して説明する。
なお、以下の各実施形態における環境情報表示システム及び環境情報表示方法は、プログラムに制御されたコンピュータにより実行することができる。プログラムは、例えば、記録媒体により提供される。記録媒体としては、たとえば、磁気ディスク，光ディスク，半導体メモリ，その他コンピュータで読み取り可能な任意の手段を使用することができる。
また、記録媒体に記録されたプログラムは、記録媒体を直接コンピュータに装着して当該コンピュータに読み込ませることができ、また、通信回線を介してコンピュータに読み込ませるようにしても良い。
【００２７】
［第一実施形態］
（Ｉ．環境情報表示システム）
まず、本発明の環境情報表示システムの実施形態について、図１を参照して説明する。
同図は、本実施形態の環境情報表示システムの構成を示すブロック図である。
同図に示すように、本実施形態の環境情報表示システム１ａは、記憶手段１０と、データ登録装置２０と、表示手段３０と、制御手段４０ａと、検出装置５０ａと、電源手段６０とを備えている。
【００２８】
ここで、記憶手段１０は、環境情報表示システム１が有する各種機能に関するデータやプログラムを記憶する。
具体的には、例えば、植物別ＣＯ２吸収量テーブル、区分別ＣＯ２吸収量テーブル、ＣＯ２吸収量平均値テーブル、葉部総面積換算テーブル（高木、中低木）、葉部総面積換算テーブル（ポトス）、ＣＯ２排出量テーブルなどを記憶する。
【００２９】
植物別ＣＯ２吸収量テーブルは、図２に示すように、植物ごと（樹種ごと）に、葉１ｍ２が１年間に吸収するＣＯ２の量（ＣＯ２吸収量）を示すテーブルである。つまり、この植物別ＣＯ２吸収量テーブルを参照することで、データ登録装置２０で入力された植物の名称に対応する、葉１ｍ２が１年間に吸収するＣＯ２の量を検索・抽出することができる。例えば、植物の名称がポトスの場合、当該ＣＯ２吸収量は２．５［ｋｇ／ｍ２・年］となる。
【００３０】
区分別ＣＯ２吸収量テーブルは、図３に示すように、植物の区分ごと（植物の形状区分ごと）に、葉１ｍ２が１年間に吸収するＣＯ２の量を示すテーブルである。つまり、この区分別ＣＯ２吸収量テーブルを参照することで、データ登録装置２０で入力された植物の区分に対応する、葉１ｍ２が１年間に吸収するＣＯ２の量を検索・抽出することができる。例えば、植物の区分が観葉植物（ＣＯ２吸収量が高いもの）の場合、当該ＣＯ２吸収量は２．５［ｋｇ／ｍ２・年］となる。
なお、図３の「観葉植物（ＣＯ２吸収量・高）」は図２のポトスのＣＯ２吸収量をその代表として採用したものである。図３の「観葉植物（ＣＯ２吸収量・低）」は図２のベンジャミンのＣＯ２吸収量をその代表として採用したものである。図３の「落葉広葉樹高木」は図２のユリノキ、オオシマザクラ、エノキの各ＣＯ２吸収量の平均値を採用したものである。図３の「常緑広葉樹高木」は図２のクスノキ、アラカシ、トウネズミモチの各ＣＯ２吸収量の平均値を採用したものである。図３の「中低木」は図２のサンゴジュ、ヒイラギモクセイ、トベラ、シャリンバイの各ＣＯ２吸収量の平均値を採用したものである。
【００３１】
ＣＯ２吸収量平均値テーブルは、図４に示すように、植物の葉１ｍ２が１年間に吸収するＣＯ２の量であって、植物全体の平均的な値を示すテーブルである。このＣＯ２吸収量の平均値は、例えば、図２に示す植物別ＣＯ２吸収量テーブルで挙げた各植物（ベンジャミンとシルバークイーンを除く）のＣＯ２吸収量の平均値をもって表すことができる。
【００３２】
葉部総面積換算テーブル（高木、中低木）は、図５に示すように、植物の幹周りの長さと葉の総面積との関係を植物の区分ごとに示したテーブルである。つまり、この葉部総面積換算テーブル（高木、中低木）を参照することで、植物の幹周りの長さに対応する植物の区分ごとの葉部総面積を検索・抽出することができる。
例えば、幹周りの長さが１０［ｃｍ］の場合、落葉広葉樹高木の葉部総面積は７０［ｍ２］、常緑広葉樹高木の葉部総面積は５０［ｍ２］、中低木の葉部総面積は１５［ｍ２］となる。
【００３３】
なお、幹周りの長さは、落葉広葉樹高木や常緑広葉樹高木と中低木とで異なる。落葉広葉樹高木や常緑広葉樹高木の場合は、胸高直径（地表面から１．３ｍの高さの幹の直径）が、中低木の場合は、根元直径が、それぞれ幹周りの長さとなる。
また、高木とは、樹高（植物の高さ）が３ｍ以上のもの、中低木とは、樹高が３ｍ未満のものをいう。
【００３４】
葉部総面積換算テーブル（ポトス）は、図６に示すように、ポトスの鉢の種類と葉の総面積との関係を示したテーブルである。つまり、この葉部総面積換算テーブル（ポトス）を参照することで、ポトスの鉢の種類に対応する葉部総面積を検索・抽出することができる。
例えば、小鉢の場合の葉部総面積を０．２７［ｍ２］、中鉢の場合の葉部総面積を３．５［ｍ２］とすることができる。
【００３５】
これらのうち０．２７［ｍ２］という値は、出願人が独自に測定して得られた値である。
測定方法の概要は、以下の通りである。
ポトスの小鉢を５０鉢用意した。各鉢ごとに葉を１枚１枚剪断した。各葉ごとにその全体をスキャナで読み取り、その輪郭をパーソナルコンピュータ（ＰＣ）で解析し、この解析結果（輪郭）から葉の面積を割り出した。この割り出した各葉の面積を各鉢ごとに集計（合算）し、各鉢ごとの葉部総面積を算出した。また、この葉部総面積を葉の枚数で除算して、各鉢における葉ごとの葉部面積の平均値を算出した。さらに、各鉢ごとの葉部総面積を５０鉢分合計し、これを５０で除算して、１鉢あたりの葉部総面積の平均値を算出した。
ここで、ポトスは、小鉢の場合で１株あたり５０〜６０枚の葉があることがわかった。また、葉１枚の面積は、極端に小さいものを除くと、６０［ｃｍ２］前後であることがわかった。そして、１株あたりの葉部総面積は、小さい葉も合わせて平均を算出すると、２６６３．４［ｃｍ２］（約０．２７［ｍ２］）となった。
なお、同図における中鉢の葉部総面積は、小鉢の葉部総面積の１３倍として算出した。
【００３６】
また、葉部総面積換算テーブルの幹周りの長さに挙げられていない数値が幹周り情報としてデータ登録装置２０で入力されたときは、次の手法で葉部総面積を算出することができる。
入力された幹周りの長さが３５［ｃｍ］の場合、葉部総面積は、次の式により算出できる。
葉部総面積［ｍ２］＝［｛（７００−４００）・（３５−３０）｝／（４０−３０）］＋４００＝５５０［ｍ２］
これは、葉部総面積換算テーブルに示された幹周りの長さのうちデータ登録装置２０で入力された幹周りの長さに近い前後の値を抽出し（ここでは、３５［ｃｍ］に近いの前後の値３０［ｃｍ］と４０［ｃｍ］）、これらに対応する葉部総面積を抽出し（ここでは、落葉広葉樹高木の４００［ｍ２］と７００［ｍ２］）、ｘ＝ａｙ＋ｂに各値を代入したときの（４００［ｍ２］＝ａ×３０［ｃｍ］＋ｂ、７００［ｍ２］＝ａ×４０［ｃｍ］＋ｂ）ａとｂとの値を求め（ａ＝３０、ｂ＝−５００）、このｘ＝３０ｙ−５００のｙに３５［ｃｍ］を代入したとき（ｘ＝３０×３５［ｃｍ］−５００）のｘを算出したものである。
なお、葉部総面積換算テーブルの幹周りの長さは、本実施形態においては、図５に示す値としているが、同図に示す値に限るものではなく、任意の値を設定することができる。
【００３７】
ＣＯ２排出量テーブルは、図７に示すように、ＣＯ２の排出に関係する対象物、エネルギー消費量、換算値、ＣＯ２排出量のそれぞれの対応を示すテーブルである。
ここで、対象物の具体例としては、自動販売機、エアコン、ガスファンヒーター、自家用車、人などがある。
そして、ＣＯ２排出量は、自動販売機とエアコンについては、電気の消費によるＣＯ２の排出量、ガスファンヒーターについては、ガス（ここでは都市ガス）の消費によるＣＯ２の排出量、自家用車については、ガソリンの消費によるＣＯ２の排出量、人については、呼吸によるＣＯ２の排出量となる。
なお、対象物は、図７に示したものに限るものではなく、任意の物を選ぶことができる。
【００３８】
また、記憶手段１０は、データ登録装置２０から送られてきた各種情報（植物特定方法選択情報、植物名称情報、ポトス種類情報、植物区分情報、幹周り情報、平均ＣＯ２採用情報など）、制御手段４０ａで算出された各種データ（単位吸収量算出部４１で算出されたＣＯ２吸収量、葉部総面積算出部４２で算出された葉部総面積、表示データ算出部４３で算出された各データなど）を記憶する。
【００３９】
データ登録装置２０は、植物に関するデータを入力し、これを制御手段４０ａへ送る。
このデータ登録装置２０は、図８に示すように、登録用入力手段２１と、登録用表示手段２２と、登録データ記憶手段２３と、登録データ送信手段２４と、登録用制御手段２５とを有している。
登録用入力手段２１は、キーボードやタッチパネル等のユーザインタフェースであって、ユーザが操作することでデータが入力される。
【００４０】
登録用表示手段２２は、ディスプレイやタッチパネルなどで構成することができ、データ登録装置２０が有する各種機能に関するデータや入力画面等を表示する。
具体的には、例えば、オープニング画面、植物特定方法選択画面、植物名称選択画面、ポトスの鉢の種類入力画面、植物区分選択画面、幹周り長さ入力画面、平均ＣＯ２採用確認画面、登録確認画面などを表示する。
【００４１】
オープニング画面は、データ登録装置２０の電源（図示せず）がＯＮにされた場合や、各処理が終了した場合（図２８のステップ２６等）に表示される画面である。このオープニング画面には、図９に示すように、スタートボタンが表示されており、これを選択（押下）することで、植物特定方法選択画面が表示される。
【００４２】
植物特定方法選択画面は、植物の名前（樹種の名称）、植物の区分、植物の大きさのいずれによってその植物を特定するかを選択する画面であって、図１０に示すように、「植物の特定の仕方を選んで下さい。」といったメッセージとともに、「植物の名前を選ぶ」，「植物の区分を選ぶ」，「植物の大きさを入力する」，「植物を特定しない」などの項目を表示する。ユーザは、これら項目のうちの一つを選び、ラジオボタンにマークすることでその項目を選択できる。
また、植物特定方法選択画面には、決定ボタンが表示されており、これを選択することで、ラジオボタンにマークした項目が植物特定方法として決定される。さらに、戻るボタンが表示されており、これを選択することで、一つ前の画面（幹周り長さ入力画面）を表示させることができる。
【００４３】
植物名称選択画面は、植物特定方法選択画面で「植物の名前を選ぶ」が選択され決定されたときに表示される画面であって、複数の植物の名前が表示されており、ユーザはその中から一つを選ぶことができる。具体的には、図１１に示すように、「植物の名前を選んで下さい。」といったメッセージとともに、具体的な植物の名前や、「その他」などの項目を表示する。ユーザは、植物の名前または項目のうちの一つを選択できる。
また、植物名称選択画面には、決定ボタンが表示されており、これを選択することで、ラジオボタンにマークした植物の名称又は項目が植物名称情報として決定される。さらに、戻るボタンが表示されており、これを選択することで、一つ前の画面（植物特定方法選択画面）を表示させることができる。
【００４４】
ポトスの鉢の種類入力画面は、植物名称選択画面で植物の名前として「ポトス」が選択され決定されたときに表示される画面であって、ポトスの鉢の種類（鉢の大きさ）が表示されており、ユーザはその中から一つを選ぶことができる。具体的には、図１２に示すように、「ポトスの鉢の種類を選んで下さい。」といったメッセージとともに、ポトスの鉢の大きさである「小鉢」や「中鉢」、さらに「不明」などの項目を表示する。ユーザは、それら鉢の大きさまたは項目のうちの一つを選択できる。
また、ポトスの鉢の種類入力画面には、決定ボタンが表示されており、これを選択することで、ラジオボタンにマークした鉢の大きさ又は項目がポトス種類情報として決定される。さらに、戻るボタンが表示されており、これを選択することで、一つ前の画面（植物名称選択画面）を表示させることができる。
【００４５】
植物区分選択画面は、植物特定方法選択画面で「植物の区分を選ぶ」が選択され決定されたときに表示される画面であって、複数の植物の区分が表示されており、ユーザはその中から一つを選ぶことができる。具体的には、図１３に示すように、「植物の区分を選んで下さい。」といったメッセージとともに、具体的な植物の区分である「観葉植物」や「落葉広葉樹高木」、さらに「不明」などの項目を表示する。ユーザは、植物の区分または項目のうちの一つを選択できる。
また、植物区分選択画面には、決定ボタンが表示されており、これを選択することで、ラジオボタンにマークした植物の区分又は項目が植物区分情報として決定される。さらに、戻るボタンが表示されており、これを選択することで、一つ前の画面（植物特定方法選択画面）を表示させることができる。
【００４６】
幹周り長さ入力画面は、植物特定方法選択画面で「植物の大きさを入力する」が選択され決定されたときに表示される画面であって、図１４に示すように、「植物の幹周りの長さを入力して下さい。」といったメッセージとともに、幹周り長さを入力するためのインプットボックス（またはテキストエリア）を表示する。
また、幹周り長さ入力画面には、決定ボタンが表示されており、これを選択することで、インプットボックスに入力された幹周り長さを決定して次の画面に移行させることができる。
【００４７】
平均ＣＯ２採用確認画面は、植物特定方法選択画面で「植物を特定しない」が選択されたときに表示される画面であって、葉１ｍ２あたりのＣＯ２吸収量を植物全体の平均値で表すこととするか否かをユーザに確認させる画面である。具体的には、図１５に示すように、「葉１ｍ２あたりのＣＯ２吸収量は、植物全体の平均値を採用しますか。」といったメッセージとともに、「はい」や「いいえ」などのボタンを表示する。ユーザは、「はい」または「いいえ」のいずれか一つを選択できる。
ここで、「はい」が選択されたときは、葉１ｍ２あたりのＣＯ２吸収量が植物全体の平均値をもって表わされる。すなわち、図４に示すＣＯ２吸収量平均値テーブルから抽出されたＣＯ２量が採用される。
一方、「いいえ」が選択されたときは、植物特定方法選択画面が表示される。
【００４８】
登録確認画面は、植物名称選択画面、ポトスの鉢の種類入力画面、植物区分選択画面、幹周り長さ入力画面、平均ＣＯ２採用確認画面で入力・選択された内容を登録するか否かをユーザに確認させる画面である。
具体的には、図１６に示すように、登録内容が表示される。
登録内容には、植物の名称又は区分（植物特定情報）、ポトス種類情報、幹周りの長さ（幹周り情報）の内容が表示される。具体的には、例えば、植物名として「ポトス」や「シャリンバイ」など、植物の区分として「落葉広葉樹高木」や「特定せず」など、幹周りの長さとして「５ｃｍ」、ポトスの鉢の種類として「小鉢」などが表示される。
【００４９】
また、登録確認画面には、「はい」（登録），「いいえ」（変更）等の項目が表示されており、ユーザは、いずれかの項目を選択できる。
ここで、「はい」が選択されたときは、表示された登録内容が制御手段４０ａへ送信されて登録される。一方、「いいえ」が選択されたときは、植物特定方法選択画面が表示される。これにより、植物特定方法等の変更（再度の入力、選択）が可能となる。
【００５０】
登録データ記憶手段２３は、データ登録装置２０の有する各種機能を実行させるためのプログラムやデータなどを記憶する。
また、登録データ記憶手段２３は、登録用入力手段２１での入力操作により入力された数値、選択された項目などを記憶する。具体的には、植物特定方法選択画面で選択された植物の特定方法（植物特定方法選択情報）、植物名称選択画面で選択された植物の名称（植物名称情報）、ポトスの鉢の種類入力画面で選択された鉢の種類（ポトス種類情報）、植物区分選択画面で選択された植物の区分（植物区分情報）、幹周り長さ入力画面で入力された植物の幹周りの長さ（幹周り情報）、平均ＣＯ２採用確認画面で「はい」が選択されたことを示す平均ＣＯ２採用情報などが記憶される。
【００５１】
登録データ送信手段２４は、登録データ記憶手段２３に記憶されているデータを制御手段４０ａへ送信する。また、登録データ送信手段２４は、登録確認画面で「登録しますか？」の問いに対し「はい」が選択されたときには、その登録確認画面に表示されていた登録内容を送信する。
【００５２】
登録用制御手段２５は、登録データ記憶手段２３から読み込んだプログラムにもとづき、データ登録装置２０を構成する各手段に命令を送り、または、登録用制御手段２５自身が動作して、データ登録装置２０の有する各種機能を実行する。
具体的には、登録用入力手段２１での操作により入力・選択された各種情報を登録データ記憶手段２３へ記憶・保存する処理、登録用表示手段２２に所定の情報等を表示させる処理、登録データ送信手段２４に所定の情報を送信させる処理などを実行する。
【００５３】
なお、データ登録装置２０は、制御手段４０ａから脱着可能とすることができる。
すなわち、通常は、このデータ登録装置２０を外した状態で環境情報表示システム１を設置する。そして、植物に関する情報の登録が必要な場合に、このデータ登録装置２０を制御手段４０ａに接続して各種情報を登録する。
【００５４】
表示手段３０は、例えば、ＣＲＴ（Ｃａｔｈｏｄｅ  Ｒａｙ  Ｔｕｂｅ：ブラウン管），ＬＣＤ（Ｌｉｑｕｉｄ  Ｃｒｙｓｔａｌ  Ｄｉｓｐｌａｙ：液晶ディスプレイ），プラズマディスプレイなどで構成することができ、植物１００の近傍に設置される。また、表示手段３０は、制御手段４０ａの表示制御部４４の制御により、所定の情報を表示する。
【００５５】
例えば、表示手段３０は、制御手段４０ａから送られてきた各種情報を環境情報として表示する。
具体的には、次のような内容を環境情報として表示することができる。
「ボク（△△△）は１日に○○ｋｇのＣＯ２を吸収できるよ！」（図１７）
「ボク（△△△）が１００本あれば、１日に○○ｋｇのＣＯ２を吸収できるよ！」（図１８）
「ボク（△△△）が１０本あれば、飲料用自動販売機○○台が排出するＣＯ２をすべて吸収できるよ！」（図１９）
「飲料用自動販売機１台が排出するＣＯ２をすべて吸収するには、ボク（△△△）が○○本必要だよ！」（図２０）
これら表示内容のいずれを表示するかは、制御手段４０ａの表示制御部４４で決められる。
【００５６】
なお、これら図１７〜図２０に示す表示内容は、ＣＯ２の排出量や吸収量に関するものであるが、表示手段３０に表示させるデータは、ＣＯ２に関するものに限るものではなく、たとえば、温室効果をもたらす気体、すなわち温室効果ガスに関するものであってもよい。
温室効果ガスには、例えば、ＣＯ２、水蒸気、対流圏オゾン、メタン、一酸化二窒素（亜酸化窒素）、ハイドロフルオロカーボン類、パーフルオロカーボン類、六フッ化硫黄などが含まれる。
これらのうち、メタンは、同量のＣＯ２の２１倍の温室効果をもたらすと言われているが、天然ガスから得られる他、工業的にも大量に生産されているため、この生産量を表示手段３０に表示させることができる。
また、一酸化二窒素や六フッ化硫黄についても、工業生産されていることから、この生産量を表示手段３０に表示させることができる。
【００５７】
制御手段４０ａについては、後記の（II．制御手段）において、詳述する。
また、検出手段５０ａについては、後記の（III．検出手段）において、詳述する。
電源手段６０は、制御手段４０ａ等に電源を供給するための手段である。この電源手段６０は、例えば、バッテリであってもよく、商用電源であってもよい。
【００５８】
（II．制御手段）
次に、制御手段について、図２１を参照して説明する。
制御手段４０ａは、プログラム制御により動作するコンピュータであって、同図に示すように、ＣＯ２単位吸収量算出部４１と、葉部総面積算出部４２と、表示データ算出部４３と、表示制御部４４と、登録データ制御部４５と、電源制御部４６とを有している。
【００５９】
ＣＯ２単位吸収量算出部４１は、データ登録装置６０から送られてきた植物特定情報にもとづき、植物別ＣＯ２吸収量テーブル、区分別ＣＯ２吸収量テーブル、ＣＯ２吸収量平均値テーブルのいずれかを選択する。そして、この選択したテーブルを参照して、植物特定情報にもとづくＣＯ２吸収量を検索・抽出する。
具体的には、例えば、植物特定情報が植物名称情報であるときは、植物別ＣＯ２吸収量テーブルを選択し、この植物別ＣＯ２吸収量テーブルを参照して、植物名称情報が示す植物の名前に対応したＣＯ２吸収量を検索・抽出する。
【００６０】
また、植物特定情報が植物区分情報であるときは、区分別ＣＯ２吸収量テーブルを選択し、この区分別ＣＯ２吸収量テーブルを参照して、植物区分情報が示す植物の区分に対応したＣＯ２吸収量を検索・抽出する。
さらに、植物特定情報が平均ＣＯ２採用情報であるときは、ＣＯ２吸収量平均値テーブルを選択し、このＣＯ２吸収量平均値テーブルを参照してＣＯ２吸収量を検索・抽出する。
【００６１】
葉部総面積算出部４２は、記憶手段１０に記憶された葉部総面積換算テーブル（高木、中低木）を参照して、データ登録装置６０から送られてきた幹周り情報の示す値に対応する葉部総面積を検索・抽出する。
また、葉部総面積算出部４２は、記憶手段１０に記憶されたポトス種類情報にもとづき、葉部総面積換算テーブル（ポトス）を参照して、ポトスの鉢の種類に対応する葉部総面積を検索・抽出する。
これら抽出された葉部総面積は、葉部総面積情報として記憶手段１０に記憶される。
【００６２】
表示データ算出部４３は、表示制御部４４が選択した表示内容（表示手段３０に表示させる表示内容）に必要なデータを算出する。
具体的には、次のデータを算出する。
（ｉ）図１７に示す表示内容のＣＯ２吸収量
このＣＯ２吸収量は、植物１本あたりのＣＯ２吸収量を示すものであり、次の式で算出される。
ＣＯ２吸収量［ｋｇ／本］＝葉部総面積［ｍ２］×ＣＯ２単位吸収量［ｋｇ／ｍ２］
ここで、葉部総面積［ｍ２］は、葉部総面積算出部４２で算出されたもの、ＣＯ２単位吸収量［ｋｇ／ｍ２］は、ＣＯ２単位吸収量算出部４１で算出されたものである。
【００６３】
（ii）図１８に示す表示内容のＣＯ２吸収量
このＣＯ２吸収量は、１００本の植物が吸収し得るＣＯ２の量を示すものであり、次の式で算出される。
ＣＯ２吸収量［ｋｇ・本］＝葉部総面積［ｍ２］×ＣＯ２単位吸収量［ｋｇ／ｍ２］×植物の本数［本］
なお、図１８においては「１００本」としてあるが、１００本に限るものではなく、任意の本数にすることができる。
【００６４】
（iii）図１９に示す表示内容の自動販売機の台数
この台数は、１０本の植物が吸収し得るＣＯ２に相当する自動販売機の台数を示すものであり、次の式で算出される。
自動販売機の台数［台］＝（葉部総面積［ｍ２］×ＣＯ２単位吸収量［ｋｇ／ｍ２］×植物の本数［本］）／自動販売機１台が排出するＣＯ２の量［ｋｇ／台］
なお、図１９においては「１０本」としてあるが、１０本に限るものではなく、例えば「１００本」や「１５００本」など、任意の本数にすることができる。
【００６５】
（iv）図２０に示す表示内容の植物の本数
この本数は、自動販売機１台の稼動により排出されるＣＯ２の量をすべて吸収し得る植物の本数を示すものであり、次の式で算出される。
植物の本数［本］＝自動販売機１台が排出するＣＯ２の量［ｋｇ／台］／（葉部総面積［ｍ２］×ＣＯ２単位吸収量［ｋｇ／ｍ２］）
なお、図２０においては「１台」としてあるが、１台に限るものではなく、例えば「１０台」や「５０台」など、任意の台数にすることができる。
【００６６】
ここで、表示制御部４４が自動販売機以外の対象物を指定した場合は、表示データ算出部４３は、ＣＯ２排出量テーブルを参照して、指定された対象物に対応するＣＯ２単位排出量を検索・抽出して、上述の算出に用いる。
また、表示データ算出部４３は、上述したデータ以外のデータを算出することができる。
（ｖ）ＣＯ２排出量の算出
ＣＯ２排出量は、対象物が複数台あるときのＣＯ２排出量を示すものであり、次の式で算出される。
ＣＯ２排出量［ｋｇ・台］＝ＣＯ２単位排出量［ｋｇ］×台数［台］
【００６７】
表示制御部４４は、検出手段５０ａから検出信号が送信されてくると、表示内容を選択し、表示データ算出部４３に所定のデータを算出させ、これら表示内容及びデータを表示手段３０へ送信して表示させる。
また、表示制御部４４は、表示内容が図１９に示すもの、または、図２０に示すものである場合には、対象物をＣＯ２排出量テーブルから抽出することができる。この場合、表示データ算出部４３は、その抽出された対象物について所定のデータを算出する。また、表示手段３０はその抽出された対象物についての表示内容を表示する。
【００６８】
登録データ制御部４５は、データ登録装置２０から送信されてきた情報を記憶手段１０へ送って記憶させる。
電源制御部４６は、電源装置６０からの電力供給のＯＮ／ＯＦＦを制御する。
【００６９】
（III．検出手段）
次に、検出手段について、図２２を参照して説明する。
同図は、検出手段の構成を示すブロック図である。
検出手段５０ａは、人が植物１００に接近又は接触したことを検出する手段であって、同図に示すように、第一電極５１と、高周波電源５２と、第二電極５３と、検出手段５４と、検出信号出力手段５５とを備えている。
【００７０】
第一電極５１は、植物１００，用土２００，容器３００のうちの一つ又は二つ以上に取り付けられており、高周波電源５２の電圧印加側端子に接続されている。この第一電極５１は、例えば、導電性材料で形成することができる。
なお、植物１００は、従来公知の任意好適な植物を用いることができ、特定の種類（樹種、区分）に限定されるものではない。
用土２００とは、植物１００を植えるための土をいう。この用土２００には、例えば、培養土、改良用土、これらに配合される赤玉土、鹿沼土、腐葉土、パーライトなどが含まれる。この用土２００についても、特定の種類に限定されるものではない。
【００７１】
容器３００は、用土２００を入れる器であって、具体的には、例えば鉢（ポット）やプランタなどが含まれる。この容器３００には、用土２００とともに石や砂利などを入れることができ、さらに、そこに植物１００が植えられる。
この容器３００の形状や材質は、特に限定されるものではない。
なお、容器３００は、同図に示すように、テーブル上に乗せるとともに、プラスチック製の皿などを敷き床面に対して充分な電気的絶縁を保ち、床面から離した位置に設置するのが望ましい。
【００７２】
高周波電源（交流電源）５２は、第一電極５１に高周波電圧を印加する。この高周波電源５２は、例えば周波数５０ｋＨｚ、電圧１０Ｖの高周波を出力することができる。ここで、周波数５０ｋＨｚとしたのは、商用電源の５０Ｈｚからの干渉をなくすために、それよりも充分に高い周波数としたためである。
第二電極５３は、床面に置かれたアース板５６（例えば、アルミ箔など）に取り付けられている。そして、第二電極５３は、検出手段５４を介して高周波電源５２の接地側端子に接続されている。なお、アース板５６は、わざわざ床面に設置しなくても電流検出手段５４、検出信号出力手段５５または電源手段６０の内部静電容量を介して地面に接地されることを応用してもよい。
【００７３】
検出手段５４は、高周波電源５２の接地側端子と第二電極５３との間に接続されており、それら高周波電源５２と第二電極５３との間で生ずる電気的変化を検出する。
具体的には、アース板５６と地面の間の静電容量Ｃｇを介して地面から高周波電源５２へ向かって流れ込む戻り電流を検出する。
【００７４】
この検出手段５４の具体的な回路構成を図２３に示す。
同図に示すように、検出手段５４は、電流検出用抵抗器Ｒ１と、検出用ダイオードＤ１と、小容量コンデンサＣ１と、ゲイン調整用可変抵抗器Ｒ２と、増幅器Ａ１と、電圧比較器Ａ２とを有している。
【００７５】
ここで、電流検出用抵抗器（検出用抵抗器）Ｒ１は、戻り電流を検出する。
この検出により電流検出用抵抗器Ｒ１の両端に発生する電圧ＶＲ１は、図２４に示すようになる。すなわち、人体が植物１００に接近又は接触していないときは、小さい振幅の波形となり（同図（ａ））、一方、人体が植物１００に接近又は接触すると、大きい振幅の波形となる（同図（ｂ））。
この電流検出用抵抗器Ｒ１の抵抗値は、例えば、１０ｋΩとすることができる。
【００７６】
検出用ダイオードＤ１は、電流検出用抵抗器Ｒ１で検出された電圧ＶＲ１を整流する。この検出用ダイオードＤ１の両端の電圧ＶＤ１は、図２５に示すようになる。すなわち、人体が植物１００に接近又は接触したときの電圧（同図（ｂ／２））が、接近又は接触していないときの電圧（同図（ａ／２））に比べて大きくなる。
なお、本実施形態においては、図２４及び図２５に示したように、検出用ダイオードＤ１にて電圧ＶＲ１を整流する構成としてあるが、その整流は半波整流に限るものではない。すなわち、ここでは、検出した交流信号を直流に変換することが目的であるため、整流の手段は、例えば全波整流、倍電圧整流、ブリッジ整流などであってもよい。
【００７７】
結合用の小容量コンデンサＣ１は、高周波のみを通すコンデンサであって、検出用ダイオードＤ１で整流して得られた直流成分を電流検出用抵抗器Ｒ１に逆戻りするのを阻止するとともに、電圧ＶＤ１を平滑化する。
【００７８】
ゲイン調整用可変抵抗器Ｒ２は、増幅器Ａ１のゲインを調整する。このゲイン調整用可変抵抗器Ｒ２を備えることで、増幅器Ａ１から出力された電圧ＶＡ１における（ａ／２）’と（ｂ／２）’との間に基準電圧（閾値電圧）Ｖｓがくるように調整することができる（図２６参照）。
増幅器Ａ１は、ゲイン調整用可変抵抗器Ｒ２で調整されたゲインにしたがって、電圧ＶＤ１を増幅し、増幅電圧ＶＡ１として出力する。
なお、基準電圧Ｖｓは、人体が植物１００に接近又は接触していないときの増幅電圧ＶＡ１を記憶保持したものを利用してもよい。
【００７９】
電圧比較器Ａ２は、基準電圧Ｖｓと、増幅器Ａ１からの増幅電圧ＶＡ１とを比較する。これら比較される電圧の波形を図２６に示す。
比較の結果、増幅電圧ＶＡ１が基準電圧Ｖｓよりも高いとき、すなわち増幅電圧ＶＡ１が（ｂ／２）’のときは、電圧比較器Ａ２から制御信号ＶＡ２が出力される。
一方、増幅電圧ＶＡ１が基準電圧Ｖｓよりも低いとき、すなわち増幅電圧ＶＡ１が（ａ／２）’のときは、電圧比較器Ａ２から制御信号ＶＡ２は出力されない。
【００８０】
検出信号出力手段５５は、検出手段５４からの制御信号にもとづいて検出信号を出力する手段であって、例えばリレードライバ５５−１により構成できる。
リレードライバ５５−１は、電圧比較器Ａ２からの制御信号ＶＡ２にもとづいて検出信号の出力時間を調整する。
このリレードライバ５５−１の動作を図２７に示す。同図に示すように、リレードライバ５５−１は、制御信号ＶＡ２を受けると検出信号の出力を開始し（同図（ｓ））、所定時間（Ｔ）が経過するまで、その検出信号を出力し続ける。そして、所定時間Ｔの経過後（同図（ｅ））、検出信号の出力を停止する。
【００８１】
（IV．環境情報表示方法）
次に、本実施形態の環境情報表示システムの動作（環境情報表示方法）について、図２８〜図３０を参照して説明する。
図２８は、本実施形態の環境情報表示システムの動作のうちデータの登録手順を示すフローチャート、図２９は、葉部総面積及びＣＯ２単位吸収量の算出手順を示すフローチャート、図３０は、環境情報を表示するまでの手順を示すフローチャートである。
【００８２】
（IV−１．植物特定情報及び幹周り情報の登録）
まず、前提として、データ登録装置２０の登録データ送信手段２４が制御手段４０ａに接続されている。
図２８に示すように、データ登録装置２０の登録用制御手段２５の制御により、登録用表示手段２２にオープニング画面が表示される（ステップ１０）。
次いで、登録用入力手段２１での操作により、オープニング画面中のスタートボタンが押下されると（ステップ１１）、植物特定方法選択画面が表示される（ステップ１２）。
【００８３】
登録用入力手段２１での操作により、植物特定方法選択画面に表示された植物特定方法のうち、一つの特定方法が選択されて決定ボタンが押下されると（植物特定方法選択情報の入力、ステップ１３）、この選択された内容が判断される（ステップ１４）。
判断の結果、「植物の名前を選ぶ」が選択されていたときは、次いで、植物名称選択画面が登録用表示手段２２に表示される（ステップ１５）。そして、この植物名称選択画面に表示された植物の各名称のうちの一つが選択されて決定ボタンが押下されると（植物名称情報の入力、ステップ１６）、その選択された内容が判断される（ステップ１７）。
【００８４】
判断の結果、植物の名前のいずれかが選択されているときは、続いて、その選択された植物の名前が「ポトス」か否かが判断される（ステップ１８）。
判断の結果、「ポトス」でないときは、幹周り長さ入力画面が登録用表示手段２２に表示される（ステップ１９）。
登録用入力手段２１での操作により、幹周り長さ入力画面中のインプットボックスに植物の幹周りの長さ（幹周り情報）が入力される（ステップ２０）。そして、決定ボタンが押下されると（ステップ２１）、その入力された幹周り情報と、ステップ１６で入力された植物の名称を示す植物名称情報を登録内容として表示する登録確認画面が登録用表示手段２２に表示される（ステップ２２）。そして、登録用入力手段２１での操作により、登録確認画面に表示された項目（「はい」，「いいえ」，「終了」）のうちの一つが選択されると（登録是非の選択、ステップ２３）、この選択された項目が何であるかが判断される（登録？、ステップ２４）。
判断の結果、「はい」が選択されていたときは、その登録内容である幹周り情報及び植物名称情報が登録データ送信手段２４を介して制御手段４０ａへ送信される（ステップ２５）。一方、「いいえ」が選択されていたときは、植物特定方法選択画面の表示（ステップ１２）に戻る。「終了」の場合は、幹周り情報等の送信を行わずに終了する（ステップ２６）。
【００８５】
なお、幹周り長さ入力画面の表示中に（ステップ１９〜ステップ２１）終了ボタンが押下されると、登録用表示手段２２にオープニング画面が表示される。
また、ステップ１７にて、「戻る」が選択されたものと判断されたときは、植物特定方法選択画面が登録用表示手段２２に表示される（ステップ１２）。さらに、「終了」が選択されたものと判断されたときは、終了する。
なお、「その他」が選択されたものと判断されたときについては、後述する。
【００８６】
ステップ１８にて、植物名称選択画面に表示された植物の名称のうち、「ポトス」が選択されていたときは、次いで、ポトスの鉢の種類入力画面が登録用表示手段２２に表示される（ステップ２７）。
そして、登録用入力手段２１での操作により、ポトスの鉢の種類入力画面に表示された鉢の種類又は項目のうち一つが選択され（ステップ２８）、決定ボタンが押下されると（ステップ２９）、その選択された鉢の種類を登録内容として表示する登録確認画面が登録用表示手段２２に表示される（ステップ２２）。そして、登録用入力手段２１での操作により、登録確認画面に表示された項目（「はい」，「いいえ」，「終了」）のうちの一つが選択されると（登録是非の選択、ステップ２３）、この選択された項目が何であるかが判断される（登録？、ステップ２４）。
判断の結果、「はい」が選択されていたときは、その登録内容であるポトス種類情報が登録データ送信手段２４を介して制御手段４０ａへ送信される（ステップ２５）。一方、「いいえ」が選択されていたときは、植物特定方法選択画面の表示（ステップ１２）に戻る。「終了」の場合は、ポトス種類情報等の送信を行わずに終了する（ステップ２６）。
【００８７】
ステップ１４にて、植物特定方法選択画面に表示された植物特定方法のうち、「植物の区分を選ぶ」が選択されていたときは、次いで、植物区分選択画面が登録用表示手段２２に表示される（ステップ３０）。そして、登録用入力手段２１での操作により、植物区分選択画面に表示された植物の各区分のうちの一つが選択されて決定ボタンが押下されると（植物区分情報の入力、ステップ３１）、この選択された内容が判断される（ステップ３２）。
判断の結果、植物の区分のいずれかが選択されていたときは、続いて、幹周り長さ入力画面が登録用表示手段２２に表示される（ステップ１９）。
登録用入力手段２１での操作により、幹周り長さ入力画面中のインプットボックスに植物の幹周りの長さ（幹周り情報）が入力され（ステップ２０）、決定ボタンが押下されると（ステップ２１）、その入力された幹周り情報と、ステップ２７で入力された植物の区分を示す植物区分情報を登録内容として表示する登録確認画面が登録用表示手段２２に表示される（ステップ２２）。そして、登録用入力手段２１での操作により、登録確認画面に表示された項目（「はい」，「いいえ」，「終了」）のうちの一つが選択されると（登録するか否かの選択、ステップ２３）、この選択された項目が何であるかが判断される（登録？、ステップ２４）。
判断の結果、「はい」が選択されていたときは、その登録内容である幹周り情報及び植物区分情報が登録データ送信手段２４を介して制御手段４０ａへ送信される（ステップ２５）。一方、「いいえ」が選択されていたときは、植物特定方法選択画面の表示（ステップ１２）に戻る。「終了」の場合は、幹周り情報等の送信を行わずに終了する（ステップ２６）。
【００８８】
また、ステップ３２にて、「戻る」が選択されたものと判断されたときは、植物特定方法選択画面が登録用表示手段２２に表示される（ステップ１２）。さらに、「終了」が選択されたものと判断されたときは、終了する。
なお、「不明」が選択されたものと判断されたときについては、後述する。
【００８９】
また、ステップ１４にて、植物特定方法選択画面に表示された植物特定方法のうち、「植物の大きさを入力する」が選択されていたときは、幹周り長さ入力画面が登録用表示手段２２に表示され、ステップ１９〜ステップ２６の処理が実行される。
【００９０】
さらに、ステップ１４にて、植物特定方法選択画面に表示された植物特定方法のうち、「植物を特定しない」が選択されていたときは、登録用表示手段２２に平均ＣＯ２採用確認画面が表示される（ステップ３３）。そして、この平均ＣＯ２採用確認画面に表示された項目（「はい」，「いいえ」，「終了」）のいずれか一つが選択されると（平均ＣＯ２採用情報の入力、ステップ３４）、この選択された項目が何であるかが判断される（ステップ３５）。
判断の結果、「はい」が選択されていたときは、続いて、全植物の平均ＣＯ２吸収量の採用示す平均ＣＯ２採用情報を登録内容として表示する登録確認画面が登録用表示手段２２に表示される（ステップ２２）。そして、登録用入力手段２１での操作により、登録確認画面に表示された項目（「はい」，「いいえ」，「終了」）のうちの一つが選択されると（ステップ２３）、この選択された項目が何であるかが判断される（ステップ２４）。
判断の結果、「はい」が選択されていたときは、その登録内容である平均ＣＯ２採用情報が制御手段４０ａへ送信される（ステップ２５）。一方、「いいえ」が選択されていたときは、植物特定方法選択画面の表示（ステップ１２）が行なわれる。「終了」の場合は、終了する（ステップ２６）。
なお、平均ＣＯ２採用確認画面の表示中に終了ボタンが押下されると、登録用表示手段２２にオープニング画面が表示される。
【００９１】
ステップ１４にて、「戻る」が選択されたものと判断されたときは、オープニング画面が登録用表示手段２２に表示される（ステップ１０）。
ステップ１４にて、「終了」が選択されたものと判断されたときは、終了する。
ステップ１７にて、「その他」が選択されたものと判断されたとき、または、ステップ３２にて、「不明」が選択されたものと判断されたときは、ステップ３３以降の処理が実行される。
なお、終了時には、オープニング画面を登録用表示手段２２に表示させることもできる。
【００９２】
（IV−２．環境情報の表示の準備）
次に、環境情報の表示の準備処理について、図２９を参照して説明する。
この準備処理は、ＣＯ２単位吸収量と葉部総面積とを検索し、抽出し（又は算出し）、記憶するものである。
データ登録装置２０から植物特定情報及び幹周り情報が送信されてくると、制御手段４０ａの登録データ制御部４５が、それらを記憶手段１０へ送って記憶させる（ステップ４０）。
【００９３】
次いで、ＣＯ２単位吸収量算出部４１にて、植物特定情報を用いて、植物別ＣＯ２吸収量テーブル，区分別ＣＯ２吸収量テーブル，ＣＯ２吸収量平均値テーブルのいずれを用いるかが判断される（ＣＯ２吸収量算出のために用いるテーブルの選択、ステップ４１）。
例えば、植物特定情報が、植物名称情報であるときは、植物別ＣＯ２吸収量テーブルが選択される。また、植物区分情報であるときは、区分別ＣＯ２吸収量テーブルが選択される。さらに、平均ＣＯ２採用情報であるときは、ＣＯ２吸収量平均値テーブルが選択される。
【００９４】
そして、この選択されたテーブルを用いてＣＯ２単位吸収量が検索・抽出（算出）され、記憶手段１０へ送られて記憶される（ステップ４２）。
例えば、植物特定情報が「シャリンバイ」を示す植物名称情報であるときは、植物別ＣＯ２吸収量テーブルが参照され、ＣＯ２単位吸収量が４．２［ｋｇ／ｍ２・年］が抽出される。
また、植物特定情報が「落葉広葉樹高木」を示す植物区分情報であるときは、区分別ＣＯ２吸収量テーブルが参照され、ＣＯ２単位吸収量が３．２［ｋｇ／ｍ２・年］が抽出される。
さらに、植物特定情報が平均ＣＯ２採用情報であるときは、ＣＯ２吸収量平均値テーブルが参照され、ＣＯ２単位吸収量が３．４［ｋｇ／ｍ２・年］が抽出される。
これら抽出されたＣＯ２単位吸収量（各テーブルにもとづき算出されたＣＯ２単位吸収量）が記憶される。
【００９５】
続いて、葉部総面積算出部４２にて、葉部総面積換算テーブル（高木、中低木）が参照され、幹周り情報の示す幹周りの長さと植物特定情報の示す植物の区分又は名称に対応する葉部総面積が検索・抽出される。この抽出された葉部総面積は、記憶手段１０へ送られて記憶される（ステップ４３）。
なお、データ登録装置２０からポトス種類情報が送信されてきたときは、これが記憶手段１０に記憶される。そして、葉部総面積算出部４２にて、葉部総面積換算テーブル（ポトス）が参照され、ポトス種類情報に対応する葉部総面積が検索・抽出される。この抽出された葉部総面積は、記憶手段１０へ送られて記憶される。
【００９６】
（IV−３．環境情報の表示）
次に、環境情報の表示手順について、図３０を参照して説明する。
人が植物に接近又は接触すると、この接近又は接触したことが検出手段５０ａで検出され（ステップ５０）、検出信号が制御手段４０ａへ送られる。
制御手段４０ａの表示制御部４４にて、検出信号を受信したことにもとづいて、表示内容が選択される（ステップ５１）。表示内容としては、例えば、図１７〜図２０に示すものが挙げられる。また、この選択は、ランダムに選ぶことができる。
【００９７】
そして、この選択された表示内容に必要な数値が表示データ算出部４３で算出される（ステップ５２）。
例えば、表示内容が図１７に示すものである場合、必要な数値としては、「△△△が１日に吸収できるＣＯ２量」となる。これは、葉部総面積にＣＯ２単位吸収量を乗算することで算出できる。なお、「△△△」は、植物名称情報の示す植物の名称が該当する（以下同じ）。
また、表示内容が図１８に示すものである場合、必要な数値としては、「△△△が１００本あるときに、１日に吸収できるＣＯ２量」となる。これは、葉部総面積とＣＯ２単位吸収量と本数とを乗算することで算出できる。
【００９８】
さらに、表示内容が図１９に示すものである場合、必要な数値としては、「１０本の△△△が吸収できるＣＯ２量に相当する自動販売機の台数」となる。これは、（葉部総面積×ＣＯ２単位吸収量×１０本）／（自動販売機１台が排出するＣＯ２の量）により算出できる。
また、表示内容が図２０に示すものである場合、必要な数値としては、「自動販売機１台が排出するＣＯ２をすべて吸収できる△△△の本数」となる。これは、（自動販売機１台が排出するＣＯ２の量）／（葉部総面積×ＣＯ２単位吸収量）により算出できる。
【００９９】
続いて、表示データ算出部４３での算出が終了すると、表示制御部４４は、選択した表示内容と算出されたデータとを表示手段３０へ送信して表示させる（ステップ５３）。
なお、表示内容は、人が植物に接近又は接触するごとに変えることができる。また、所定時間経過ごとに変えることもできる。
【０１００】
（IV−４．検出装置の動作）
次に、本実施形態の検出装置の動作について、図２２〜図２７を参照して説明する。
なお、図２２に示すように、植物１００（葉）と人体（手）との間の静電容量をＣｈｌ、容器３００と人体との間の静電容量をＣｓｂ、容器３００とアース板５６との間の静電容量をＣｓｇ、人体と地面（ＧＮＤ）との間の静電容量をＣｂｇ、地面とアース板５６との間の静電容量をＣｇとする。
【０１０１】
高周波電源５２が起動され、この高周波電源５２から第一電極５１に高周波電圧Ｖｈｆが印加される。
人体が植物１００に接近又は接触していない状態では、検出手段５４にて、ベース電圧（図２４の電圧ａ）が検出される。
【０１０２】
その後、人体が植物１００に接近又は接触すると、その植物１００（葉）と人体（手）との間の静電容量Ｃｈｌを介して人体に静電誘導電流が流れ、これが、さらに人体と地面との静電容量Ｃｂｇを通して地面に流れ込む。
そして、アース板５６と地面との間の静電容量Ｃｇを介して地面から高周波電源５２へ戻り電流が流れ込む。
【０１０３】
検出手段５４の電流検出用抵抗器Ｒ１では、戻り電流が検出され、電圧ＶＲ１が発生する。その電圧ＶＲ１は、人体が植物１００に接近又は接触していない状態では、図２４で電圧ａとして示したように小さい振幅の波形となり、一方、人体が植物１００に接近又は接触している状態では、図２４で電圧ｂとして示したように大きい振幅の波形となる。すなわち、電圧ｂは、電圧ａよりも大きい電圧値となる。
そのＶＲ１は、検出用ダイオードＤ１で整流され、小容量コンデンサＣ１で平滑される（図２５参照）。整流された後の電圧ＶＤ１は、ゲイン調整用可変抵抗器Ｒ２で調整されたゲインにもとづき、増幅器Ａ１で増幅され、増幅電圧ＶＡ１として出力される。
【０１０４】
電圧比較器Ａ２にて、増幅器Ａ１からの増幅電圧ＶＡ１と基準電圧Ｖｓとが比較される（図２６参照）。ここで、増幅電圧ＶＡ１が基準電圧Ｖｓよりも高い値のときは、電圧比較器Ａ２から制御信号ＶＡ２が出力される。一方、増幅電圧ＶＡ１が基準電圧Ｖｓよりも低い値のときは、電圧比較器Ａ２から制御信号ＶＡ２は出力されない。
【０１０５】
電圧比較器Ａ２から出力された制御信号ＶＡ２は、検出信号出力手段５５へ送られ、その制御信号ＶＡ２の入力にもとづき検出信号が出力される。
検出信号は、図２７のＴで示された時間、出力される。これにより、制御手段４０ａが表示手段３０への表示制御を行う。
【０１０６】
このように、検出装置５０ａは、人体が植物１００に接近又は接触すると、第二電極５３から高周波電源５２に流れ込む戻り電流の値が変化することを利用して、検出信号の出力を制御することができる。
ここで、戻り電流が変化するのは、人体が植物１００に接近又は接触している場合としていない場合とで、静電誘導電流（戻り電流）が流れるための回路構成が相違するからである。
【０１０７】
例えば、人体が植物１００に接近又は接触していない場合の回路構成は、高周波電源５２−第一電極５１−容器３００−静電容量Ｃｓｇ−アース板５６−第二電極５３−検出手段５４−高周波電源５２となる。
一方、人体が植物１００に接近又は接触している場合の回路構成は、上述の回路構成に、さらに、第一電極５１−植物１００−静電容量Ｃｈｌ−人体−静電容量Ｃｂｇ−静電容量Ｃｇ−アース板５６という経路が加わった回路構成となる。なお、この場合は、静電容量Ｃｓｂも影響する。
【０１０８】
このように静電誘導電流（戻り電流）が流れるための回路構成がそれぞれ相違することから、検出手段５４では、人体が植物１００に接近又は接触している場合としていない場合とで異なった値の戻り電流を検出できる。これにより、人間が植物１００に接近又は接触したことを、検出手段１００が確実に検出して検出信号を出力することができる。
【０１０９】
以上説明したように、本実施形態の環境情報表示システム、環境情報表示方法及び環境情報表示プログラムによれば、ＣＯ２の排出量や吸収量を表示手段に表示するため、地球温暖化に対する意識を向上させることができる。
また、その表示内容が、目の前にある植物が吸収するＣＯ２の量や、自動販売機の稼動によるＣＯ２の排出量であるように、身近な話題で構成されているため、地球温暖化に関する知識を親しみやすく、わかりやすく伝えることができる。
さらに、植物に接近又は接触することで環境に関する情報が表示されるため、簡易かつ楽しみながら、その情報を得ることができる。
【０１１０】
［第二実施形態］
次に、本発明の環境情報表示システム、環境情報表示方法及び環境情報表示プログラムの第二の実施形態について、図３１を参照して説明する。
同図は、本実施形態の環境情報表示システムの構成を示すブロック図である。
本実施形態は、第一実施形態と比較して、植物の数と、表示手段での表示内容が相違する。すなわち、第一実施形態では、植物の数が１本であるのに対し、本実施形態では、２本である。また、第一実施形態では、表示内容の切り替えは想定していないが、本実施形態では、異なる植物に触れることで表示内容の全体又は一部を切り替えて表示させる。他の構成要素は第一実施形態と同様である。
したがって、図３１において、図１と同様の構成部分については同一の符号を付して、その詳細な説明を省略する。
【０１１１】
図３１に示すように、環境情報表示システム１ｂは、記憶手段１０ｂと、データ登録装置２０と、表示手段３０と、制御手段４０ｂと、検出手段５０ｂ（５０ｂ−１、５０ｂ−２）と、電源手段６０とを備えている。また、植物１００が２本設置されている（植物１００−１、１００−２）。
【０１１２】
ここで、記憶手段１０ｂは、表示手段３０に表示される内容を表すデータを記憶する。具体的には、例えば、次に示す表示内容を表すデータを記憶する。
「ボク（△△△）は◆◆◆日に○○○ｋｇのＣＯ２を吸収できるよ！」（図３２）
「ボク（△△△）が◆◆◆本あれば、１日に○○○ｋｇのＣＯ２を吸収できるよ！」（図３３）
「ボク（△△△）が◆◆◆本あれば、飲料用自動販売機○○○台が排出するＣＯ２をすべて吸収できるよ！」（図３４）
「飲料用自動販売機◆◆◆台が排出するＣＯ２をすべて吸収するには、ボク（△△△）が○○○本必要だよ！」（図３５）
これら図３２〜図３５に示す表示内容は、図１７〜図２０の表示内容と近似しているが、「◆◆◆」の部分が相違する。
表示手段３０は、図３２〜図３５に示す表示内容を環境情報として表示する。
【０１１３】
制御手段４０ｂは、図３６に示すように、葉部総面積算出部４２と、ＣＯ２単位吸収量算出部４１と、表示データ算出部４３ｂと、表示制御部４４ｂと、登録データ制御部４５と、電源制御部４６とを有している。
表示データ算出部４３ｂは、表示制御部４４ｂから指示を受けたデータを算出する。具体的には、図３２に示す表示内容における日数、図３３に示す表示内容における本数、図３４に示す表示内容における本数、図３５に示す表示内容における台数などを算出する。
【０１１４】
表示制御部４４ｂは、検出装置５０ｂ−１からの検出信号を受けると、図３２〜図３５に示す表示内容のいずれか一つを選んで、そのデータを記憶手段１０ｂから取り出し、表示手段３０へ送って表示させる。また、検出装置５０ｂ−１からの検出信号を受けるごとに、その都度、図３２〜図３５に示す表示内容のいずれか一つを選んで表示手段３０に表示させる（表示内容を切り換える）。
さらに、表示制御部４４ｂは、検出装置５０ｂ−２からの検出信号を受けた場合において、図３２〜図３５に示す表示内容のいずれもが表示手段３０に表示されていないときは、図３２〜図３５に示す表示内容のいずれか一つを選んで、そのデータを記憶手段１０ｂから取り出し、表示手段３０へ送って表示させる。また、既に図３２〜図３５に示す表示内容のいずれかが表示されているときは、その表示内容の一部（例えば、「△△△」、「◆◆◆」、「○○○」のうちの一又は二以上）を変更して表示させる。
【０１１５】
つまり、背丈の高い植物１００−１に接近又は接触するたびに、表示手段３０の表示内容が切り換わる。一方、背丈の低い植物１００−２に接近又は接触するたびに、表示手段３０に表示された内容の一部が切り換わる。
具体的には、例えば、表示内容が図３２に示す「ボク（△△△）は◆◆◆日に○○ｋｇのＣＯ２を吸収できるよ！」の場合、次いで、植物１００−２に触ると、「ボク（△△△）は１日に○○ｋｇのＣＯ２を吸収できるよ！」のように表示され、次に触ると、「ボク（△△△）は１０日で○○○ｋｇのＣＯ２を吸収できるよ！」のように表示され、さらに触ると、「ボク（△△△）は２０日で○○○ｋｇのＣＯ２を吸収できるよ！」のように表示される。
【０１１６】
なお、植物１００−２に接近又は接触することで「△△△」、「◆◆◆」、「○○○」の値が切り換わる場合、それら値は、規則性をもって増加または減少させてもよく、また、ランダムな値でもよい。
例えば、１０日→２０日→３０日→４０日→５０日・・・でもよく、また、１０日→１日→２００日→５０日→１００日・・・などでもよい。
【０１１７】
検出装置５０ｂは、各植物１００ごとに設置されている。
検出装置５０ｂ−１は、人が植物１００−１に接近又は接触したことを検出する装置である。つまり、検出装置５０ｂ−１の第一電極５１−１は、植物１００−１、用土２００−１、容器３００−１のいずれかに接続されている。
一方、検出装置５０ｂ−２は、人が植物１００−２に接近又は接触したことを検出する装置である。つまり、検出装置５０ｂ−２の第一電極５１−２は、植物１００−２、用土２００−２、容器３００−２のいずれかに接続されている。
【０１１８】
植物１００は、背丈の高い植物１００−１と、背丈の低い植物１００−２の二本が配置される。植物１００−１は、用土２００−１の入った容器３００−１に植えられており、植物１００−２は、用土２００−２の入った容器３００−２に植えられている。
【０１１９】
次に、本実施形態の環境情報表示システムの動作（環境情報表示方法）について、図３７を参照して説明する。
同図は、本実施形態の環境情報表示システムの動作を示すフローチャートである。
まず、表示手段３０にはいずれの表示内容も表示されていないものとする。
人が植物１００−１又は１００−２に接近又は接触したことが検出装置５０ｂ−１又は５０ｂ−２で検出されると（ステップ６０）、検出信号が、制御手段４０ｂへ送られる。
制御手段４０ｂの表示制御部４４ｂにて、検出信号の受信にもとづき、複数の表示内容の中から一つの表示内容が選択され、表示手段３０に表示される（ステップ６１）。
【０１２０】
なお、ステップ６０においては、表示手段３０にいずれの表示内容も表示されていないため、制御手段４０ｂは、人が植物に接近又は接触したことに起因して、表示手段３０にいずれか一つの表示内容を表示させる。このとき、人が接近又は接触する植物は、植物１００−１であってもよく、また、植物１００−２であってもよい。なお、植物１００−１に人が接近又は接触したときには、検出装置５０ｂ−１が検出信号を出力し、植物１００−２に人が接近又は接触したときには、検出装置５０ｂ−２が検出信号を出力する。
【０１２１】
表示手段３０にいずれか一つの表示内容が表示され、その後、人が植物１００に接近又は接触して、検出装置５０ｂから検出信号が出力され、表示制御部４４ｂがその検出信号を受信すると（ステップ６２）、この検出信号が検出装置５０ｂ−１又は５０ｂ−２のいずれから送られてきたものかが判断される（ステップ６３）。
判断の結果、検出装置５０ｂ−１から送られてきたものであるときは、表示手段３０に現在表示されている表示内容以外の表示内容を選択し、表示手段３０へ送って表示させる（ステップ６４）。
【０１２２】
一方、検出装置５０ｂ−２から送られてきたものであるときは、表示手段３０に現在表示されている表示内容の一部、例えば「△△△」、「◆◆◆」、「○○○」などを変更して表示させる（ステップ６５）。
【０１２３】
このように、本実施形態の環境情報表示システム、環境情報表示方法及び環境情報表示プログラムによれば、人の意思により、表示内容を切り換えることができる。したがって、地球温暖化に関する知識を親しみやすく知得することができる。
【０１２４】
［第三実施形態］
次に、本発明の環境情報表示システム、環境情報表示方法及び環境情報表示プログラムの第三の実施形態について、図３８を参照して説明する。
同図は、本実施形態の環境情報表示システムの構成を示すブロック図である。
本実施形態は、第一実施形態と比較して、植物の数と、表示手段での表示内容が相違する。すなわち、第一実施形態では、植物の数が１本であるのに対し、本実施形態では、複数本である。また、第一実施形態では、表示内容の切り替えは想定していないが、本実施形態では、異なる植物に触れることで、その触れた植物に関連付けられて表示内容に切り替えて表示させることができる。他の構成要素は第一実施形態と同様である。
したがって、図３８において、図１と同様の構成部分については同一の符号を付して、その詳細な説明を省略する。
【０１２５】
図３８に示すように、環境情報表示システム１ｃは、記憶手段１０ｃと、データ登録装置２０と、表示手段３０と、制御手段４０ｃと、検出手段５０ｃ（５０ｃ−１、５０ｃ−２）と、電源手段６０とを備えている。また、植物１００が複数本設置されている（植物１００−１〜１００−ｎ）。
ここで、記憶手段１０ｃは、表示手段３０に表示される内容を表すデータを記憶する。このデータの具体例は、第一実施形態や第二実施形態と同じものとすることができる。
【０１２６】
また、記憶手段１０ｃは、図３９に示すように、検出信号を出力した検出装置５０ｃと表示内容との対応を示した検出表示対応テーブルを記憶する。
この検出表示対応テーブルにおける表示内容の具体例としては、例えば、図４０に示すように、検出装置５０ｃ−１〜５０ｃ−ｎが接続された植物１００−１〜１００−ｎの各名称と、それら植物１００−１〜１００−ｎのそれぞれのＣＯ２吸収量により構成することができる。
また、表示内容の他の具体例としては、例えば、各植物１００の説明（原産地、生息地、実や花の特徴、栽培の方法、その他の事項）であってもよい。さらに、検出装置５０ｃや植物１００とは直接関係しないもの、例えば、さまざまな動物のイラストや漫画のキャラクター、クイズ、アンケート、宣伝、広告などであってもよい。
【０１２７】
さらに、記憶手段１０ｃは、表示手段３０に表示される内容を表すデータを記憶する。具体的には、例えば、次に示す文章を表すデータを記憶する。
「ボク（△△△）は◆◆◆年に○○○ｋｇのＣＯ２を吸収できるよ！」（図４１、図４２）
この文章のうち、「△△△」や「○○○」の部分については、検出表示対応テーブルの表示内容を参照して表示させることができる。また、「◆◆◆」については、任意の数値を用いることができる。ここで、「◆◆◆年」が「１年」の場合は、検出表示対応テーブルの表示内容をそのまま用いることができる。また、「◆◆◆年」が例えば「１０年」や「１日」のように「１年」と異なる場合は、その日数に相当するＣＯ２吸収量を算出して表示する。例えば、ポトスについて「１０年」の場合は、２．５×１０＝２５［ｋｇ／ｍ２］のように計算し、この２５を「○○○」に表示させる。
表示手段３０は、例えば、図４１や図４２に示す文章などを表示する。
【０１２８】
制御手段４０ｃは、図４３に示すように、葉部総面積算出部４２と、ＣＯ２単位吸収量算出部４１と、表示データ算出部４３と、表示制御部４４ｃと、登録データ制御部４５と、電源制御部４６とを有している。
表示制御部４４ｃは、検出装置５０ｃから検出信号を受けると、この検出信号がどの検出装置５０ｃから出力されたものかを判断し、この出力元の検出装置５０ｃに対応する表示内容を検出表示対応テーブルを参照して抽出し、この抽出した表示内容を示すデータを記憶手段１０から取り出して、表示手段３０へ送り表示させる。
【０１２９】
例えば、検出表示対応テーブルが図４０に示すものである場合において、人体が植物１００−１に接近又は接触したために、検出信号を送信してきた検出装置５０ｃが検出装置５０ｃ−１であるときは、表示内容を「ポトス」と「２．５」とし、表示手段３０には図４１に示すように「ボク（ポトス）は１年に２．５ｋｇのＣＯ２を吸収できるよ！」という文章を表示させる。
また、続いて、人体が植物１００−１に接近又は接触し、検出信号を送信してきた検出装置５０ｃが検出装置５０ｃ−２であるときは、表示内容を「ベンジャミン」と「０．１」とし、表示手段３０には図４２に示すように「ボク（ベンジャミン）は１年に０．１ｋｇのＣＯ２を吸収できるよ！」という文章を表示させる。
このように、複数ある植物１００ごとに表示内容が決められているため、人体が異なる植物１００に接近又は接触するたびに、異なる表示内容を表示させることができる。
【０１３０】
検出装置５０ｃは、各植物１００ごとに設置されている。
検出装置５０ｃ−１は、人が植物１００−１に接近又は接触したことを検出する装置である。つまり、検出装置５０ｃ−１の第一電極５１−１は、植物１００−１、用土２００−１、容器３００−１のいずれかに接続されている。また、検出装置５０ｃ−２は、人が植物１００−２に接近又は接触したことを検出する装置である。つまり、検出装置５０ｃ−２の第一電極５１−２は、植物１００−２、用土２００−２、容器３００−２のいずれかに接続されている。さらに、検出装置５０ｃ−ｎは、人が植物１００−ｎに接近又は接触したことを検出する装置である。つまり、検出装置５０ｃ−ｎの第一電極５１−ｎは、植物１００−ｎ、用土２００−ｎ、容器３００−ｎのいずれかに接続されている。
【０１３１】
植物１００は、複数配置される。植物１００−１は、用土２００−１の入った容器３００−１に植えられており、植物１００−２は、用土２００−２の入った容器３００−２に植えられており、植物１００−ｎは、用土２００−ｎの入った容器３００−ｎに植えられている。
【０１３２】
次に、本実施形態の環境情報表示システムの動作（環境情報表示方法）について、図４４を参照して説明する。
同図は、本実施形態の環境情報表示システムの動作を示すフローチャートである。
複数ある植物１００のいずれかに人体が接近又は接触し、その植物１００に接続された検出装置５０ｃから検出信号が出力されると（ステップ７０）、この検出信号が、制御手段４０ｃへ送られる。
制御手段４０ｃの表示制御部４４ｃにて、検出信号の受信にもとづき、この受信した検出信号の送信元である検出装置５０ｃが特定される（ステップ７１）。
次いで、この特定した検出装置５０ｃに対応する表示内容が、検出表示対応テーブルを参照して特定される（ステップ７２）。
そして、この特定された表示内容を示すデータが記憶手段１０から取り出され、表示手段３０へ送られて表示される（ステップ７３）。
【０１３３】
続けて、複数ある植物１００のいずれかに人体が接近又は接触し、その植物１００に接続された検出装置５０ｃから検出信号が出力されると（ステップ７４）、この検出信号が、制御手段４０ｃへ送られる。
制御手段４０ｃの表示制御部４４ｃにて、検出信号の受信にもとづき、この受信した検出信号の送信元である検出装置５０ｃが特定される（ステップ７１）。ここで、今回の検出信号の送信元である検出装置５０ｃが前回の送信元である検出装置５０ｃと異なる場合は、表示手段３０には、前回と異なった内容が表示される。つまり、異なる植物１００に接近又は接触することで、表示内容を切り換えることができる。
【０１３４】
このように、本実施形態の環境情報表示システム、環境情報表示方法及び環境情報表示プログラムによれば、人の意思により、表示内容を切り換えることができる。したがって、地球温暖化に関する知識を親しみやすく知得することができる。
【０１３５】
［第四実施形態］
次に、本発明の環境情報表示システム、環境情報表示方法及び環境情報表示プログラムの第四の実施形態について、図４５を参照して説明する。
同図は、本実施形態の環境情報表示システムの構成を示すブロック図である。
本実施形態は、第一実施形態と比較して、検出の対象が相違する。すなわち、第一実施形態では、人が植物に接近又は接触したことを検出の対象としていたのに対し、本実施形態では、植物の植えられた用土の水分を検出対象とする。他の構成要素は第一実施形態と同様である。
したがって、図４５において、図１と同様の構成部分については同一の符号を付して、その詳細な説明を省略する。
【０１３６】
図４５に示すように、環境情報表示システム１ｄは、記憶手段１０と、データ登録装置２０と、表示手段３０と、制御手段４０ｂと、検出手段５０ｄと、電源手段６０とを備えている。
ここで、検出手段５０ｄは、第一電極５１と、高周波電源５２と、第二電極５３と、検出手段５４ｄと、検出信号出力手段５５とを備えている。
【０１３７】
検出手段５４ｄは、高周波電源５２の接地側端子と第二電極５３との間に接続されており、それら高周波電源５２と第二電極５３との間で生ずる電気的変化を検出する。具体的には、アース板５６と地面の間の静電容量Ｃｇを介して地面から高周波電源５２へ向かって流れ込む戻り電流を検出する。
この検出手段５４の具体的な回路構成は、図２３に示すものと同じである。ただし、電圧比較器Ａ２の基準電圧Ｖｓｄが、図４６に示すように、通常のＶＡ１の波形より若干下の位置にある。これは、用土２００の水分が少なくなってＶＡ１の波形が下がることを検出するためである。
【０１３８】
制御手段４０ｄは、検出装置５０ｄからの検出信号を受信すると、図４７に示すような画面を表示手段３０に表示させる。
【０１３９】
次に、本実施形態の環境情報表示システムの動作について、図４８を参照して説明する。
同図は、本実施形態の環境情報表示システムの動作を示すフローチャートである。
用土２００の水分が少なくなったことが、検出装置５０ｄで検出されると（ステップ８０）、検出信号が出力される。この検出信号を受けた制御手段４０の表示制御部４４ｄが、図４７に示すような画面を示すデータを記憶手段１０から取り出し、表示手段３０へ送って表示させる（ステップ８１）。
【０１４０】
［第五実施形態］
次に、本発明の環境情報表示システム、環境情報表示方法及び環境情報表示プログラムの第五の実施形態について、図４９を参照して説明する。
同図は、本実施形態の環境情報表示システムの構成を示すブロック図である。
本実施形態は、第一実施形態と比較して、検出可能な人の数が相違する。すなわち、第一実施形態では、人の数自体は検出できなかったのに対し、本実施形態では、人の数の多い少ないを検出し、これにもとづく表示内容の変更を可能とする。他の構成要素は第一実施形態と同様である。
したがって、図４９において、図１と同様の構成部分については同一の符号を付して、その詳細な説明を省略する。
【０１４１】
図４９に示すように、環境情報表示システム１ｅは、記憶手段１０と、データ登録装置２０と、表示手段３０と、制御手段４０ｅと、検出手段５０ｅと、電源手段６０とを備えている。
ここで、検出手段５０ｅは、第一電極５１と、高周波電源５２と、第二電極５３と、検出手段５４ｅと、検出信号出力手段５５とを備えている。
【０１４２】
検出手段５４ｅは、図５０に示すように、電流検出用抵抗器Ｒ１と、検出用ダイオードＤ１と、小容量コンデンサＣ１と、ゲイン調整用可変抵抗器Ｒ２と、増幅器Ａ１と、電圧比較器Ａ２と、電圧比較器Ａ３とを有している。
電圧比較器Ａ３は、人が複数人であるか否かを検知する。
具体的には、検出手段５４の抵抗Ｒ１の両端の電圧は、図５１に示すように、人が植物１００に接近又は接触していないときは「ａ」、一人が接近等しているときは「ｂ」、二人が接近等しているときは「ｃ」のようになる。
そして、電圧比較器Ａ２の基準電圧Ｖｓと、電圧比較器Ａ３の基準電圧Ｖｓｅをそれぞれ図５２に示すような位置にすることで、図５１におけるａ、ｂ、ｃの波形をそれぞれ検出できる。
【０１４３】
検出信号出力手段５５は、入力した信号にもとづき異なる検出信号を制御手段４０へ送る。
制御手段４０ｄは、検出装置５０ｄからの検出信号を受信すると、この受信した検出信号の内容にもとづいて表示内容（例えば、図５３に示すような内容）を選択し表示手段３０に表示させる。
【０１４４】
次に、本実施形態の環境情報表示システムの動作について、図５４を参照して説明する。
同図は、本実施形態の環境情報表示システムの動作を示すフローチャートである。
人が植物１００に接近又は接触したことが、検出装置５０ｄで検出されると（ステップ９０）、検出信号が出力される。この検出信号を受けた制御手段４０の表示制御部４４ｄが、その検出信号にもとづいて人の数を特定し（ステップ９１）、この人の数に応じた表示内容を選択し、この表示内容を示すデータを記憶手段１０から取り出し、表示手段３０へ送って表示させる（ステップ９２）。
【０１４５】
以上、本発明の環境情報表示システム、環境情報表示方法及び環境情報表示プログラムの好ましい実施形態について説明したが、本発明に係る環境情報表示システム、環境情報表示方法及び環境情報表示プログラムは上述した実施形態にのみ限定されるものではなく、本発明の範囲で種々の変更実施が可能であることは言うまでもない。
例えば、上述した実施形態では、表示手段や植物を一つのみ備える構成としたが、一つに限るものではなく、複数備えることもできる。
また、検出装置は、図２２や図２３に示す構成としたが、この構成に限るものではなく、人体が植物に接近又は接触したことを検出する構成であれば、特に限定されるものではない。
【０１４６】
なお、本発明の環境情報表示システム、環境情報表示方法及び環境情報表示プログラムは、第一実施形態〜第五実施形態のそれぞれにおける環境情報表示システム、環境情報表示方法及び環境情報表示プログラムを任意に組み合わせたものであってもよい。
【産業上の利用可能性】
【０１４７】
本発明は、環境情報の表示に関する発明であるため、環境情報を表示する装置や機器に利用可能である。
【図面の簡単な説明】
【０１４８】
【図１】本発明の第一実施形態における環境情報表示システムの構成を示すブロック図である。
【図２】植物別ＣＯ２吸収量テーブルの構成を示す図表である。
【図３】区分別ＣＯ２吸収量テーブルの構成を示す図表である。
【図４】ＣＯ２吸収量平均値テーブルの構成を示す図表である。
【図５】葉部総面積換算テーブル（高木、中低木）の構成を示す図表である。
【図６】葉部総面積換算テーブル（ポトス）の構成を示す図表である。
【図７】ＣＯ２排出量テーブルの構成を示す図表である。
【図８】データ登録装置の構成を示すブロック図である。
【図９】オープニング画面の構成を示す図である。
【図１０】植物特定方法選択画面の構成を示す図である。
【図１１】植物名称選択画面の構成を示す図である。
【図１２】ポトスの鉢の種類入力画面の構成を示す図である。
【図１３】植物区分選択画面の構成を示す図である。
【図１４】幹周り長さ入力画面の構成を示す図である。
【図１５】平均ＣＯ２採用確認画面の構成を示す図である。
【図１６】登録確認画面の構成を示す図である。
【図１７】表示手段に表示される内容の一例を示す図である。
【図１８】表示手段に表示される内容の他の例を示す図である。
【図１９】表示手段に表示される内容のさらに他の例を示す図である。
【図２０】表示手段に表示される内容の別の例を示す図である。
【図２１】制御手段の構成を示すブロック図である。
【図２２】検出装置の構成を示す概略図である。
【図２３】検出装置における検出手段等の構成を示す回路図である。
【図２４】検出手段の電流検出用抵抗器において戻り電流が検出されたときの波形を示す波形図である。
【図２５】電流検出用抵抗器で発生した電圧を整流した波形を示す波形図である。
【図２６】図２５に示した電圧を増幅した波形を示す波形図である。
【図２７】検出信号の経時変化を示す波形図である。
【図２８】幹周り情報及び植物特定情報の登録の動作手順を示すフローチャートである。
【図２９】葉部総面積及びＣＯ２単位吸収量の算出の動作手順を示すフローチャートである。
【図３０】人が植物に接近又は接触してから表示手段に環境情報を表示させるまでの動作手順を示すフローチャートである。
【図３１】第二実施形態における環境情報表示システムの構成を示すブロック図である。
【図３２】表示手段に表示される内容の一例を示す図である。
【図３３】表示手段に表示される内容の他の例を示す図である。
【図３４】表示手段に表示される内容のさらに他の例を示す図である。
【図３５】表示手段に表示される内容の別の例を示す図である。
【図３６】制御手段の構成を示すブロック図である。
【図３７】第二実施形態における環境情報表示システムの動作手順を示すフローチャートである。
【図３８】第三実施形態における環境情報表示システムの構成を示すブロック図である。
【図３９】検出表示対応テーブルの構成を示す図である。
【図４０】検出表示対応テーブルの具体例を示す図である。
【図４１】第三実施形態における表示手段の表示例を示す図である。
【図４２】第三実施形態における表示手段の他の表示例を示す図である。
【図４３】制御手段の構成を示すブロック図である。
【図４４】第三実施形態における環境情報表示システムの動作手順を示すフローチャートである。
【図４５】第四実施形態における環境情報表示システムの構成を示すブロック図である。
【図４６】検出手段における検出波形を示す波形図である。
【図４７】表示手段の表示例を示す図である。
【図４８】第四実施形態における環境情報表示システムの動作手順を示すフローチャートである。
【図４９】第五実施形態における環境情報表示システムの構成を示すブロック図である。
【図５０】検出装置の構成を示すブロック図である。
【図５１】検出手段における検出波形を示す波形図である。
【図５２】検出手段における検出波形を示す波形図である。
【図５３】表示手段に表示される例を示す図である。
【図５４】第五実施形態における環境情報表示システムの動作手順を示すフローチャートである。
【符号の説明】
【０１４９】
１ａ〜１ｅ  環境情報表示システム
１０  記憶手段
２０  データ登録装置
２１  登録用入力手段
２２  登録用表示手段
２３  登録データ記憶手段
２４  登録データ送信手段
２５  登録用制御手段
３０  表示手段
４０ａ〜４０ｅ  制御手段
４１  葉部総面積算出部
４２  ＣＯ２単位吸収量算出部
４３  表示データ算出部
４４  表示制御部
４５  登録データ制御部
５０ａ〜５０ｅ  検出装置
【図１】
2008268381.tif 000003
【図２】
2008268381.tif 000004
【図３】
2008268381.tif 000005
【図４】
2008268381.tif 000006
【図５】
2008268381.tif 000007
【図６】
2008268381.tif 000008
【図７】
2008268381.tif 000009
【図８】
2008268381.tif 000010
【図９】
2008268381.tif 000011
【図１０】
2008268381.tif 000012
【図１１】
2008268381.tif 000013
【図１２】
2008268381.tif 000014
【図１３】
2008268381.tif 000015
【図１４】
2008268381.tif 000016
【図１５】
2008268381.tif 000017
【図１６】
2008268381.tif 000018
【図１７】
2008268381.tif 000019
【図１８】
2008268381.tif 000020
【図１９】
2008268381.tif 000021
【図２０】
2008268381.tif 000022
【図２１】
2008268381.tif 000023
【図２２】
2008268381.tif 000024
【図２３】
2008268381.tif 000025
【図２４】
2008268381.tif 000026
【図２５】
2008268381.tif 000027
【図２６】
2008268381.tif 000028
【図２７】
2008268381.tif 000029
【図２８】
2008268381.tif 000030
【図２９】
2008268381.tif 000031
【図３０】
2008268381.tif 000032
【図３１】
2008268381.tif 000033
【図３２】
2008268381.tif 000034
【図３３】
2008268381.tif 000035
【図３４】
2008268381.tif 000036
【図３５】
2008268381.tif 000037
【図３６】
2008268381.tif 000038
【図３７】
2008268381.tif 000039
【図３８】
2008268381.tif 000040
【図３９】
2008268381.tif 000041
【図４０】
2008268381.tif 000042
【図４１】
2008268381.tif 000043
【図４２】
2008268381.tif 000044
【図４３】
2008268381.tif 000045
【図４４】
2008268381.tif 000046
【図４５】
2008268381.tif 000047
【図４６】
2008268381.tif 000048
【図４７】
2008268381.tif 000049
【図４８】
2008268381.tif 000050
【図４９】
2008268381.tif 000051
【図５０】
2008268381.tif 000052
【図５１】
2008268381.tif 000053
【図５２】
2008268381.tif 000054
【図５３】
2008268381.tif 000055
【図５４】
2008268381.tif 000056
【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
環境に関する情報を記憶する記憶手段と、前記環境に関する情報を表示する表示手段と、植物に人が接近又は接触したことを検出する検出手段と、この検出手段からの検出信号にもとづき、前記表示手段に前記環境に関する情報を表示させる制御手段とを備えた前記環境に関する情報を表示する環境情報表示システムであって、
前記植物を複数備え、前記複数の植物のうちの一つに人が接近又は接触したことが前記検出手段で検出されると、前記制御手段は、前記表示手段に表示された画面の全体を切り換え、
前記複数の植物のうちの他の少なくとも一つに人が接近又は接触したことが前記検出手段で検出されると、前記制御手段は、前記表示手段に表示された画面の一部を切り換える
ことを特徴とする環境情報表示システム。
【請求項２】
前記環境に関する情報が、エネルギーを消費する所定の物が稼動したときの温室効果ガスの排出量、植物による温室効果ガスの吸収量又は固定量、前記温室効果ガスの排出量をすべて吸収し得る植物の本数のいずれか一つ以上を含む
ことを特徴とする請求項１記載の環境情報表示システム。
【請求項３】
植物の幹周りの長さを示す幹周り情報と、前記植物の区分又は名称を特定する植物特定情報とを入力するデータ登録装置を備え、
前記制御手段は、前記幹周り情報及び／又は前記植物特定情報にもとづいて前記植物による温室効果ガスの吸収量を算出する
ことを特徴とする請求項１又は２記載の環境情報表示システム。
【請求項４】
前記植物が植えられた用土の水分の状態を検出する水分検出手段を備え、
前記制御手段が、前記用土の水分の状態にもとづいて、前記表示手段に所定の情報を表示させる
ことを特徴とする請求項１〜３のいずれかに記載の環境情報表示システム。
【請求項５】
前記複数の植物のうちの一つが背の高い植物であり、前記複数の植物のうちの他の少なくとも一つが背の低い植物である
ことを特徴とする請求項１〜４のいずれかに記載の環境情報表示システム。
【請求項６】
前記植物に接近又は接触する人数の多少を検出する人数検出手段を備え、
前記制御手段が、前記人数の多少にもとづいて、前記表示手段に所定の情報を表示させる
ことを特徴とする請求項１〜５のいずれかに記載の環境情報表示システム。
【請求項７】
植物に人が接近又は接触したことを検出手段が検出すると、制御手段が、記憶手段から環境に関する情報を取り出して表示手段に表示させる、環境情報表示方法であって、
前記植物を複数備え、前記複数の植物のうちの一つに人が接近又は接触したことが前記検出手段で検出されると、前記制御手段は、前記表示手段に表示された画面の全体を切り換え、
前記複数の植物のうちの他の少なくとも一つに人が接近又は接触したことが前記検出手段で検出されると、前記制御手段は、前記表示手段に表示された画面の一部を切り換える
ことを特徴とする環境情報表示方法。
【手続補正２】
【補正対象書類名】明細書
【補正対象項目名】全文
【補正方法】変更
【補正の内容】
【発明の詳細な説明】
【技術分野】
【０００１】
本発明は、環境に関する情報を表示する環境情報表示システム及び環境情報表示方法に関し、特に、環境の改善に寄与する植物に触れることで、環境に関する種々の情報を得ることが可能な環境情報表示システム及び環境情報表示方法に関する。
【背景技術】
【０００２】
近年、環境問題、特に地球温暖化の問題は、国際的に取り組まれている重要課題の一つとなっている。
地球温暖化とは、地球表面の大気や海洋の平均気温が上昇する現象をいうが、これに伴う二次的被害が問題となっている。
例えば、異常気象の発生、砂漠化の進展、氷原・氷床の減少、海岸の浸食、さらには生物種の減少、農作物の不作など、自然環境だけでなく人間の生活にまで深刻な影響を与えつつある。
【０００３】
ところで、この地球温暖化が起こる原因を説明するものに温暖化人為説がある。これは、化石燃料の燃焼やその他の人間活動（農業や森林破壊など）によって、二酸化炭素（以下、「ＣＯ２」という。）に代表される温室効果ガスの排出量が増加したことが地球温暖化の原因であるとする説である。
ＣＯ２の排出量は、世界では約２５２億トン、日本では約１２３億トンと推定されている（ＥＤＭＣ／エネルギー・経済統計要覧２００６年版）。この数字は、年々増加していることから、この増加を抑えて地球温暖化に歯止めを掛けようとする動きが国や民間の間で活発に行なわれている。
【０００４】
我が国では、京都議定書を受けてＣＯ２の削減目標を掲げ、この目標を達成するよう、産業・民生・運輸の各部門に働きかけを行なっている。そして、製造業等の産業部門では、工場等が個々に目標を設定するなどしてＣＯ２排出の低減に努めている。
また、市民レベルでも、環境保護に対する意識は高まってきており、小規模ではあるがさまざまな工夫がなされている。例えば、節電などの省エネルギー、ゴミの量の削減、ＥＣＯ製品の購入などが挙げられる。
【０００５】
これらは、温室効果ガスの排出量を抑える動きであるが、一方で、排出された温室効果ガスを植物に吸収させて蓄積・固定する動きもある。森林面積の拡大や都市緑化の推進がそれである。
植物は、光合成をするときにＣＯ２を大気中から吸収する。この吸収したＣＯ２は、植物内や土壌内に蓄積・固定される。このように、植物は、ＣＯ２を取り込んで大気を浄化する役割を担っているが、その一方で、人間による森林の伐採や、地球温暖化による砂漠化の進展などから、ＣＯ２の固定量は年々減っていると推定されている。
このＣＯ２固定量を確保し増加させる取り組みとして、上述した森林面積の拡大等が行なわれているのである。
なお、植物のＣＯ２固定による大気浄化に関する技術は、従来から種々提案されている（例えば、特許文献１、２参照。）。
【特許文献１】特開２００４−１１３７０２号公報
【特許文献２】特開２００５−０７３６８０号公報
【発明の開示】
【発明が解決しようとする課題】
【０００６】
しかしながら、地球温暖化の問題は、一時的な対応で解決するようなものではなく、長期的視点に立って取り組まなければならない問題である。
また、国家間だけでなく、国民レベルでの問題意識の高まりがさらに必要であり、そのための啓蒙活動が重要となっている。
【０００７】
さらに、地球温暖化への関心を促すためには、より身近な内容で、しかも親しみやすく、わかりやすく伝えることが大切である。
そのためにも、生活の中で、遊び心とともに、地球温暖化に関する知識を習得できるような発明の提案が望まれていた。
【０００８】
本発明は、上記の事情にかんがみなされたものであり、地球温暖化に対する意識を向上可能とするととともに、地球温暖化に関する知識を親しみやすく、わかりやすく伝えることが可能な環境情報表示システム及び環境情報表示方法の提供を目的とする。
【課題を解決するための手段】
【０００９】
この目的を達成するため、本発明の環境情報表示システムは、環境に関する情報を記憶する記憶手段と、環境に関する情報を表示する表示手段と、植物に人が接近又は接触したことを検出する検出手段と、この検出手段からの検出信号にもとづき、表示手段に環境に関する情報を表示させる制御手段とを備えた前記環境に関する情報を表示する環境情報表示システムであって、前記植物を複数備え、前記複数の植物のうちの一つに人が接近又は接触したことが前記検出手段で検出されると、前記制御手段は、前記表示手段に表示された画面の全体を切り換え、 他の少なくとも一つに人が接近又は接触したことが前記検出手段で検出されると、前記制御手段は、前記表示手段に表示された画面の一部を切り換える構成としてある。
【００１０】
環境情報表示システムをこのような構成とすると、環境に関する情報が表示手段に表示されるため、それを見た者に対し、地球温暖化に対する意識を向上させることができる。
しかも、その者が植物に接近または接触することで環境情報が表示されることから、親しみをもってその情報を得ることができる。
【００１１】
また、環境情報表示システムをこのような構成とすると、触った植物によって表示内容を変えることができる。これにより、楽しみながら環境に関する情報を人に伝えることができる。
【００１２】
また、本発明の環境情報表示システムは、環境に関する情報を、エネルギーを消費する所定の物が稼動したときの温室効果ガスの排出量、植物による温室効果ガスの吸収量、温室効果ガスの排出量をすべて吸収し得る植物の本数のいずれか一つ以上を含む構成とすることができる。
【００１３】
環境情報表示システムをこのような構成とすれば、環境に関する情報、特に地球温暖化に関係した情報を、親しみやすく、わかりやすく人に伝えることができる。
【００１４】
また、本発明の環境情報表示システムは、植物の幹周りの長さを示す幹周り情報と、植物の区分又は名称を特定する植物特定情報とを入力するデータ登録装置を備え、制御手段は、幹周り情報及び／又は植物特定情報にもとづいて植物による温室効果ガスの吸収量を算出する構成とすることができる。
【００１５】
環境情報表示システムをこのような構成とすると、その場に植えられている植物についての環境情報を表示手段に表示させることができる。このため、より具体的な内容でわかりやすく環境情報を人に伝えることができる。
【００１６】
また、本発明の環境情報表示システムは、植物が植えられた用土の水分の状態を検出する水分検出手段を備え、制御手段が、用土の水分の状態にもとづいて、表示手段に所定の情報を表示させる構成とすることができる。
環境情報表示システムをこのような構成とすれば、用土の水分に関することを表示手段に表示させることができる。これにより、水分を用土に補給するなどの措置を講ずることができる。
【００１７】
また、本発明の環境情報表示システムは、複数の植物のうちの一つを背の高い植物とし、複数の植物のうちの他の少なくとも一つを背の低い植物とした構成とすることができる。
環境情報表示システムをこのような構成とすれば、異なる植物に触れることで、視聴者自身が自主的に、表示手段に表示された内容を切り換えることができる。
これにより、植物に次々触れることで表示内容がどんどん変わっていく様子を楽しむことができる。
【００１８】
また、本発明の環境情報表示システムは、植物に接近又は接触する人数の多少を検出する人数検出手段を備え、制御手段が、人数の多少にもとづいて、表示手段に所定の情報を表示させる構成とすることができる。
環境情報表示システムをこのような構成とすれば、人の数に応じて表示内容を変えることができる。これにより、楽しみながら環境に関する情報を人に伝えることができる。
【００１９】
また、本発明の環境情報表示方法は、植物に人が接近又は接触したことを検出手段が検出すると、制御手段が、記憶手段から環境に関する情報を取り出して表示手段に表示させる、環境に関する情報を表示する環境情報表示方法であって、
前記植物を複数備え、前記複数の植物のうちの一つに人が接近又は接触したことが前記検出手段で検出されると、前記制御手段は、前記表示手段に表示された画面の全体を切り換え、他の少なくとも一つに人が接近又は接触したことが前記検出手段で検出されると、前記制御手段は、前記表示手段に表示された画面の一部を切り換える方法とすることができる。
【００２０】
環境情報表示方法をこのようにすると、通行人が目の前の植物に触れることで、環境情報が表示手段に表示されるため、植物という親しみ易い媒体をもって、楽しみながら、環境情報を知ることができる。
【発明の効果】
【００２１】
以上のように、本発明によれば、表示手段に環境情報を表示させることで、環境問題への意識を高めさせることができる。
また、環境情報の表示が、植物に接近または接触することで行なわれるため、容易かつ親しみやすく、その情報を得ることができる。
さらに、目の前にある植物に関係した環境情報を表示させることで、具体例をもって、わかりやすくその情報を伝えることができる。
【発明を実施するための最良の形態】
【００２２】
以下、本発明に係る環境情報表示システム及び環境情報表示方法の好ましい実施形態について、図面を参照して説明する。
なお、以下の各実施形態における環境情報表示システム及び環境情報表示方法は、プログラムに制御されたコンピュータにより実行することができる。プログラムは、例えば、記録媒体により提供される。記録媒体としては、たとえば、磁気ディスク，光ディスク，半導体メモリ，その他コンピュータで読み取り可能な任意の手段を使用することができる。
また、記録媒体に記録されたプログラムは、記録媒体を直接コンピュータに装着して当該コンピュータに読み込ませることができ、また、通信回線を介してコンピュータに読み込ませるようにしても良い。
【００２３】
［第一実施形態］
（Ｉ．環境情報表示システム）
まず、本発明の環境情報表示システムの実施形態について、図１を参照して説明する。
同図は、本実施形態の環境情報表示システムの構成を示すブロック図である。
同図に示すように、本実施形態の環境情報表示システム１ａは、記憶手段１０と、データ登録装置２０と、表示手段３０と、制御手段４０ａと、検出装置５０ａと、電源手段６０とを備えている。
【００２４】
ここで、記憶手段１０は、環境情報表示システム１が有する各種機能に関するデータやプログラムを記憶する。
具体的には、例えば、植物別ＣＯ２吸収量テーブル、区分別ＣＯ２吸収量テーブル、ＣＯ２吸収量平均値テーブル、葉部総面積換算テーブル（高木、中低木）、葉部総面積換算テーブル（ポトス）、ＣＯ２排出量テーブルなどを記憶する。
【００２５】
植物別ＣＯ２吸収量テーブルは、図２に示すように、植物ごと（樹種ごと）に、葉１ｍ２が１年間に吸収するＣＯ２の量（ＣＯ２吸収量）を示すテーブルである。つまり、この植物別ＣＯ２吸収量テーブルを参照することで、データ登録装置２０で入力された植物の名称に対応する、葉１ｍ２が１年間に吸収するＣＯ２の量を検索・抽出することができる。例えば、植物の名称がポトスの場合、当該ＣＯ２吸収量は２．５［ｋｇ／ｍ２・年］となる。
【００２６】
区分別ＣＯ２吸収量テーブルは、図３に示すように、植物の区分ごと（植物の形状区分ごと）に、葉１ｍ２が１年間に吸収するＣＯ２の量を示すテーブルである。つまり、この区分別ＣＯ２吸収量テーブルを参照することで、データ登録装置２０で入力された植物の区分に対応する、葉１ｍ２が１年間に吸収するＣＯ２の量を検索・抽出することができる。例えば、植物の区分が観葉植物（ＣＯ２吸収量が高いもの）の場合、当該ＣＯ２吸収量は２．５［ｋｇ／ｍ２・年］となる。
なお、図３の「観葉植物（ＣＯ２吸収量・高）」は図２のポトスのＣＯ２吸収量をその代表として採用したものである。図３の「観葉植物（ＣＯ２吸収量・低）」は図２のベンジャミンのＣＯ２吸収量をその代表として採用したものである。図３の「落葉広葉樹高木」は図２のユリノキ、オオシマザクラ、エノキの各ＣＯ２吸収量の平均値を採用したものである。図３の「常緑広葉樹高木」は図２のクスノキ、アラカシ、トウネズミモチの各ＣＯ２吸収量の平均値を採用したものである。図３の「中低木」は図２のサンゴジュ、ヒイラギモクセイ、トベラ、シャリンバイの各ＣＯ２吸収量の平均値を採用したものである。
【００２７】
ＣＯ２吸収量平均値テーブルは、図４に示すように、植物の葉１ｍ２が１年間に吸収するＣＯ２の量であって、植物全体の平均的な値を示すテーブルである。このＣＯ２吸収量の平均値は、例えば、図２に示す植物別ＣＯ２吸収量テーブルで挙げた各植物（ベンジャミンとシルバークイーンを除く）のＣＯ２吸収量の平均値をもって表すことができる。
【００２８】
葉部総面積換算テーブル（高木、中低木）は、図５に示すように、植物の幹周りの長さと葉の総面積との関係を植物の区分ごとに示したテーブルである。つまり、この葉部総面積換算テーブル（高木、中低木）を参照することで、植物の幹周りの長さに対応する植物の区分ごとの葉部総面積を検索・抽出することができる。
例えば、幹周りの長さが１０［ｃｍ］の場合、落葉広葉樹高木の葉部総面積は７０［ｍ２］、常緑広葉樹高木の葉部総面積は５０［ｍ２］、中低木の葉部総面積は１５［ｍ２］となる。
【００２９】
なお、幹周りの長さは、落葉広葉樹高木や常緑広葉樹高木と中低木とで異なる。落葉広葉樹高木や常緑広葉樹高木の場合は、胸高直径（地表面から１．３ｍの高さの幹の直径）が、中低木の場合は、根元直径が、それぞれ幹周りの長さとなる。
また、高木とは、樹高（植物の高さ）が３ｍ以上のもの、中低木とは、樹高が３ｍ未満のものをいう。
【００３０】
葉部総面積換算テーブル（ポトス）は、図６に示すように、ポトスの鉢の種類と葉の総面積との関係を示したテーブルである。つまり、この葉部総面積換算テーブル（ポトス）を参照することで、ポトスの鉢の種類に対応する葉部総面積を検索・抽出することができる。
例えば、小鉢の場合の葉部総面積を０．２７［ｍ２］、中鉢の場合の葉部総面積を３．５［ｍ２］とすることができる。
【００３１】
これらのうち０．２７［ｍ２］という値は、出願人が独自に測定して得られた値である。
測定方法の概要は、以下の通りである。
ポトスの小鉢を５０鉢用意した。各鉢ごとに葉を１枚１枚剪断した。各葉ごとにその全体をスキャナで読み取り、その輪郭をパーソナルコンピュータ（ＰＣ）で解析し、この解析結果（輪郭）から葉の面積を割り出した。この割り出した各葉の面積を各鉢ごとに集計（合算）し、各鉢ごとの葉部総面積を算出した。また、この葉部総面積を葉の枚数で除算して、各鉢における葉ごとの葉部面積の平均値を算出した。さらに、各鉢ごとの葉部総面積を５０鉢分合計し、これを５０で除算して、１鉢あたりの葉部総面積の平均値を算出した。
ここで、ポトスは、小鉢の場合で１株あたり５０〜６０枚の葉があることがわかった。また、葉１枚の面積は、極端に小さいものを除くと、６０［ｃｍ２］前後であることがわかった。そして、１株あたりの葉部総面積は、小さい葉も合わせて平均を算出すると、２６６３．４［ｃｍ２］（約０．２７［ｍ２］）となった。
なお、同図における中鉢の葉部総面積は、小鉢の葉部総面積の１３倍として算出した。
【００３２】
また、葉部総面積換算テーブルの幹周りの長さに挙げられていない数値が幹周り情報としてデータ登録装置２０で入力されたときは、次の手法で葉部総面積を算出することができる。
入力された幹周りの長さが３５［ｃｍ］の場合、葉部総面積は、次の式により算出できる。
葉部総面積［ｍ２］＝［｛（７００−４００）・（３５−３０）｝／（４０−３０）］＋４００＝５５０［ｍ２］
これは、葉部総面積換算テーブルに示された幹周りの長さのうちデータ登録装置２０で入力された幹周りの長さに近い前後の値を抽出し（ここでは、３５［ｃｍ］に近い前後の値３０［ｃｍ］と４０［ｃｍ］）、これらに対応する葉部総面積を抽出し（ここでは、落葉広葉樹高木の４００［ｍ２］と７００［ｍ２］）、ｘ＝ａｙ＋ｂに各値を代入したときの（４００［ｍ２］＝ａ×３０［ｃｍ］＋ｂ、７００［ｍ２］＝ａ×４０［ｃｍ］＋ｂ）ａとｂとの値を求め（ａ＝３０、ｂ＝−５００）、このｘ＝３０ｙ−５００のｙに３５［ｃｍ］を代入したとき（ｘ＝３０×３５［ｃｍ］−５００）のｘを算出したものである。
なお、葉部総面積換算テーブルの幹周りの長さは、本実施形態においては、図５に示す値としているが、同図に示す値に限るものではなく、任意の値を設定することができる。
【００３３】
ＣＯ２排出量テーブルは、図７に示すように、ＣＯ２の排出に関係する対象物、エネルギー消費量、換算値、ＣＯ２排出量のそれぞれの対応を示すテーブルである。
ここで、対象物の具体例としては、自動販売機、エアコン、ガスファンヒーター、自家用車、人などがある。
そして、ＣＯ２排出量は、自動販売機とエアコンについては、電気の消費によるＣＯ２の排出量、ガスファンヒーターについては、ガス（ここでは都市ガス）の消費によるＣＯ２の排出量、自家用車については、ガソリンの消費によるＣＯ２の排出量、人については、呼吸によるＣＯ２の排出量となる。
なお、対象物は、図７に示したものに限るものではなく、任意の物を選ぶことができる。
【００３４】
また、記憶手段１０は、データ登録装置２０から送られてきた各種情報（植物特定方法選択情報、植物名称情報、ポトス種類情報、植物区分情報、幹周り情報、平均ＣＯ２採用情報など）、制御手段４０ａで算出された各種データ（単位吸収量算出部４１で算出されたＣＯ２吸収量、葉部総面積算出部４２で算出された葉部総面積、表示データ算出部４３で算出された各データなど）を記憶する。
【００３５】
データ登録装置２０は、植物に関するデータを入力し、これを制御手段４０ａへ送る。
このデータ登録装置２０は、図８に示すように、登録用入力手段２１と、登録用表示手段２２と、登録データ記憶手段２３と、登録データ送信手段２４と、登録用制御手段２５とを有している。
登録用入力手段２１は、キーボードやタッチパネル等のユーザインタフェースであって、ユーザが操作することでデータが入力される。
【００３６】
登録用表示手段２２は、ディスプレイやタッチパネルなどで構成することができ、データ登録装置２０が有する各種機能に関するデータや入力画面等を表示する。
具体的には、例えば、オープニング画面、植物特定方法選択画面、植物名称選択画面、ポトスの鉢の種類入力画面、植物区分選択画面、幹周り長さ入力画面、平均ＣＯ２採用確認画面、登録確認画面などを表示する。
【００３７】
オープニング画面は、データ登録装置２０の電源（図示せず）がＯＮにされた場合や、各処理が終了した場合（図２８のステップ２６等）に表示される画面である。このオープニング画面には、図９に示すように、スタートボタンが表示されており、これを選択（押下）することで、植物特定方法選択画面が表示される。
【００３８】
植物特定方法選択画面は、植物の名前（樹種の名称）、植物の区分、植物の大きさのいずれによってその植物を特定するかを選択する画面であって、図１０に示すように、「植物の特定の仕方を選んで下さい。」といったメッセージとともに、「植物の名前を選ぶ」，「植物の区分を選ぶ」，「植物の大きさを入力する」，「植物を特定しない」などの項目を表示する。ユーザは、これら項目のうちの一つを選び、ラジオボタンにマークすることでその項目を選択できる。
また、植物特定方法選択画面には、決定ボタンが表示されており、これを選択することで、ラジオボタンにマークした項目が植物特定方法として決定される。さらに、戻るボタンが表示されており、これを選択することで、一つ前の画面（幹周り長さ入力画面）を表示させることができる。
【００３９】
植物名称選択画面は、植物特定方法選択画面で「植物の名前を選ぶ」が選択され決定されたときに表示される画面であって、複数の植物の名前が表示されており、ユーザはその中から一つを選ぶことができる。具体的には、図１１に示すように、「植物の名前を選んで下さい。」といったメッセージとともに、具体的な植物の名前や、「その他」などの項目を表示する。ユーザは、植物の名前または項目のうちの一つを選択できる。
また、植物名称選択画面には、決定ボタンが表示されており、これを選択することで、ラジオボタンにマークした植物の名称又は項目が植物名称情報として決定される。さらに、戻るボタンが表示されており、これを選択することで、一つ前の画面（植物特定方法選択画面）を表示させることができる。
【００４０】
ポトスの鉢の種類入力画面は、植物名称選択画面で植物の名前として「ポトス」が選択され決定されたときに表示される画面であって、ポトスの鉢の種類（鉢の大きさ）が表示されており、ユーザはその中から一つを選ぶことができる。具体的には、図１２に示すように、「ポトスの鉢の種類を選んで下さい。」といったメッセージとともに、ポトスの鉢の大きさである「小鉢」や「中鉢」、さらに「不明」などの項目を表示する。ユーザは、それら鉢の大きさまたは項目のうちの一つを選択できる。
また、ポトスの鉢の種類入力画面には、決定ボタンが表示されており、これを選択することで、ラジオボタンにマークした鉢の大きさ又は項目がポトス種類情報として決定される。さらに、戻るボタンが表示されており、これを選択することで、一つ前の画面（植物名称選択画面）を表示させることができる。
【００４１】
植物区分選択画面は、植物特定方法選択画面で「植物の区分を選ぶ」が選択され決定されたときに表示される画面であって、複数の植物の区分が表示されており、ユーザはその中から一つを選ぶことができる。具体的には、図１３に示すように、「植物の区分を選んで下さい。」といったメッセージとともに、具体的な植物の区分である「観葉植物」や「落葉広葉樹高木」、さらに「不明」などの項目を表示する。ユーザは、植物の区分または項目のうちの一つを選択できる。
また、植物区分選択画面には、決定ボタンが表示されており、これを選択することで、ラジオボタンにマークした植物の区分又は項目が植物区分情報として決定される。さらに、戻るボタンが表示されており、これを選択することで、一つ前の画面（植物特定方法選択画面）を表示させることができる。
【００４２】
幹周り長さ入力画面は、植物特定方法選択画面で「植物の大きさを入力する」が選択され決定されたときに表示される画面であって、図１４に示すように、「植物の幹周りの長さを入力して下さい。」といったメッセージとともに、幹周り長さを入力するためのインプットボックス（またはテキストエリア）を表示する。
また、幹周り長さ入力画面には、決定ボタンが表示されており、これを選択することで、インプットボックスに入力された幹周り長さを決定して次の画面に移行させることができる。
【００４３】
平均ＣＯ２採用確認画面は、植物特定方法選択画面で「植物を特定しない」が選択されたときに表示される画面であって、葉１ｍ２あたりのＣＯ２吸収量を植物全体の平均値で表すこととするか否かをユーザに確認させる画面である。具体的には、図１５に示すように、「葉１ｍ２あたりのＣＯ２吸収量は、植物全体の平均値を採用しますか。」といったメッセージとともに、「はい」や「いいえ」などのボタンを表示する。ユーザは、「はい」または「いいえ」のいずれか一つを選択できる。
ここで、「はい」が選択されたときは、葉１ｍ２あたりのＣＯ２吸収量が植物全体の平均値をもって表わされる。すなわち、図４に示すＣＯ２吸収量平均値テーブルから抽出されたＣＯ２量が採用される。
一方、「いいえ」が選択されたときは、植物特定方法選択画面が表示される。
【００４４】
登録確認画面は、植物名称選択画面、ポトスの鉢の種類入力画面、植物区分選択画面、幹周り長さ入力画面、平均ＣＯ２採用確認画面で入力・選択された内容を登録するか否かをユーザに確認させる画面である。
具体的には、図１６に示すように、登録内容が表示される。
登録内容には、植物の名称又は区分（植物特定情報）、ポトス種類情報、幹周りの長さ（幹周り情報）の内容が表示される。具体的には、例えば、植物名として「ポトス」や「シャリンバイ」など、植物の区分として「落葉広葉樹高木」や「特定せず」など、幹周りの長さとして「５ｃｍ」、ポトスの鉢の種類として「小鉢」などが表示される。
【００４５】
また、登録確認画面には、「はい」（登録），「いいえ」（変更）等の項目が表示されており、ユーザは、いずれかの項目を選択できる。
ここで、「はい」が選択されたときは、表示された登録内容が制御手段４０ａへ送信されて登録される。一方、「いいえ」が選択されたときは、植物特定方法選択画面が表示される。これにより、植物特定方法等の変更（再度の入力、選択）が可能となる。
【００４６】
登録データ記憶手段２３は、データ登録装置２０の有する各種機能を実行させるためのプログラムやデータなどを記憶する。
また、登録データ記憶手段２３は、登録用入力手段２１での入力操作により入力された数値、選択された項目などを記憶する。具体的には、植物特定方法選択画面で選択された植物の特定方法（植物特定方法選択情報）、植物名称選択画面で選択された植物の名称（植物名称情報）、ポトスの鉢の種類入力画面で選択された鉢の種類（ポトス種類情報）、植物区分選択画面で選択された植物の区分（植物区分情報）、幹周り長さ入力画面で入力された植物の幹周りの長さ（幹周り情報）、平均ＣＯ２採用確認画面で「はい」が選択されたことを示す平均ＣＯ２採用情報などが記憶される。
【００４７】
登録データ送信手段２４は、登録データ記憶手段２３に記憶されているデータを制御手段４０ａへ送信する。また、登録データ送信手段２４は、登録確認画面で「登録しますか？」の問いに対し「はい」が選択されたときには、その登録確認画面に表示されていた登録内容を送信する。
【００４８】
登録用制御手段２５は、登録データ記憶手段２３から読み込んだプログラムにもとづき、データ登録装置２０を構成する各手段に命令を送り、または、登録用制御手段２５自身が動作して、データ登録装置２０の有する各種機能を実行する。
具体的には、登録用入力手段２１での操作により入力・選択された各種情報を登録データ記憶手段２３へ記憶・保存する処理、登録用表示手段２２に所定の情報等を表示させる処理、登録データ送信手段２４に所定の情報を送信させる処理などを実行する。
【００４９】
なお、データ登録装置２０は、制御手段４０ａから脱着可能とすることができる。
すなわち、通常は、このデータ登録装置２０を外した状態で環境情報表示システム１を設置する。そして、植物に関する情報の登録が必要な場合に、このデータ登録装置２０を制御手段４０ａに接続して各種情報を登録する。
【００５０】
表示手段３０は、例えば、ＣＲＴ（Ｃａｔｈｏｄｅ  Ｒａｙ  Ｔｕｂｅ：ブラウン管），ＬＣＤ（Ｌｉｑｕｉｄ  Ｃｒｙｓｔａｌ  Ｄｉｓｐｌａｙ：液晶ディスプレイ），プラズマディスプレイなどで構成することができ、植物１００の近傍に設置される。また、表示手段３０は、制御手段４０ａの表示制御部４４の制御により、所定の情報を表示する。
【００５１】
例えば、表示手段３０は、制御手段４０ａから送られてきた各種情報を環境情報として表示する。
具体的には、次のような内容を環境情報として表示することができる。
「ボク（△△△）は１日に○○ｋｇのＣＯ２を吸収できるよ！」（図１７）
「ボク（△△△）が１００本あれば、１日に○○ｋｇのＣＯ２を吸収できるよ！」（図１８）
「ボク（△△△）が１０本あれば、飲料用自動販売機○○台が排出するＣＯ２をすべて吸収できるよ！」（図１９）
「飲料用自動販売機１台が排出するＣＯ２をすべて吸収するには、ボク（△△△）が○○本必要だよ！」（図２０）
これら表示内容のいずれを表示するかは、制御手段４０ａの表示制御部４４で決められる。
【００５２】
なお、これら図１７〜図２０に示す表示内容は、ＣＯ２の排出量や吸収量に関するものであるが、表示手段３０に表示させるデータは、ＣＯ２に関するものに限るものではなく、たとえば、温室効果をもたらす気体、すなわち温室効果ガスに関するものであってもよい。
温室効果ガスには、例えば、ＣＯ２、水蒸気、対流圏オゾン、メタン、一酸化二窒素（亜酸化窒素）、ハイドロフルオロカーボン類、パーフルオロカーボン類、六フッ化硫黄などが含まれる。
これらのうち、メタンは、同量のＣＯ２の２１倍の温室効果をもたらすと言われているが、天然ガスから得られる他、工業的にも大量に生産されているため、この生産量を表示手段３０に表示させることができる。
また、一酸化二窒素や六フッ化硫黄についても、工業生産されていることから、この生産量を表示手段３０に表示させることができる。
【００５３】
制御手段４０ａについては、後記の（II．制御手段）において、詳述する。
また、検出装置５０ａについては、後記の（III．検出手段）において、詳述する。
電源手段６０は、制御手段４０ａ等に電源を供給するための手段である。この電源手段６０は、例えば、バッテリであってもよく、商用電源であってもよい。
【００５４】
（II．制御手段）
次に、制御手段について、図２１を参照して説明する。
制御手段４０ａは、プログラム制御により動作するコンピュータであって、同図に示すように、ＣＯ２単位吸収量算出部４１と、葉部総面積算出部４２と、表示データ算出部４３と、表示制御部４４と、登録データ制御部４５と、電源制御部４６とを有している。
【００５５】
ＣＯ２単位吸収量算出部４１は、データ登録装置２０から送られてきた植物特定情報にもとづき、植物別ＣＯ２吸収量テーブル、区分別ＣＯ２吸収量テーブル、ＣＯ２吸収量平均値テーブルのいずれかを選択する。そして、この選択したテーブルを参照して、植物特定情報にもとづくＣＯ２吸収量を検索・抽出する。
具体的には、例えば、植物特定情報が植物名称情報であるときは、植物別ＣＯ２吸収量テーブルを選択し、この植物別ＣＯ２吸収量テーブルを参照して、植物名称情報が示す植物の名前に対応したＣＯ２吸収量を検索・抽出する。
【００５６】
また、植物特定情報が植物区分情報であるときは、区分別ＣＯ２吸収量テーブルを選択し、この区分別ＣＯ２吸収量テーブルを参照して、植物区分情報が示す植物の区分に対応したＣＯ２吸収量を検索・抽出する。
さらに、植物特定情報が平均ＣＯ２採用情報であるときは、ＣＯ２吸収量平均値テーブルを選択し、このＣＯ２吸収量平均値テーブルを参照してＣＯ２吸収量を検索・抽出する。
【００５７】
葉部総面積算出部４２は、記憶手段１０に記憶された葉部総面積換算テーブル（高木、中低木）を参照して、データ登録装置２０から送られてきた幹周り情報の示す値に対応する葉部総面積を検索・抽出する。
また、葉部総面積算出部４２は、記憶手段１０に記憶されたポトス種類情報にもとづき、葉部総面積換算テーブル（ポトス）を参照して、ポトスの鉢の種類に対応する葉部総面積を検索・抽出する。
これら抽出された葉部総面積は、葉部総面積情報として記憶手段１０に記憶される。
【００５８】
表示データ算出部４３は、表示制御部４４が選択した表示内容（表示手段３０に表示させる表示内容）に必要なデータを算出する。
具体的には、次のデータを算出する。
（ｉ）図１７に示す表示内容のＣＯ２吸収量
このＣＯ２吸収量は、植物１本あたりのＣＯ２吸収量を示すものであり、次の式で算出される。
ＣＯ２吸収量［ｋｇ／本］＝葉部総面積［ｍ２］×ＣＯ２単位吸収量［ｋｇ／ｍ２］
ここで、葉部総面積［ｍ２］は、葉部総面積算出部４２で算出されたもの、ＣＯ２単位吸収量［ｋｇ／ｍ２］は、ＣＯ２単位吸収量算出部４１で算出されたものである。
【００５９】
（ii）図１８に示す表示内容のＣＯ２吸収量
このＣＯ２吸収量は、１００本の植物が吸収し得るＣＯ２の量を示すものであり、次の式で算出される。
ＣＯ２吸収量［ｋｇ・本］＝葉部総面積［ｍ２］×ＣＯ２単位吸収量［ｋｇ／ｍ２］×植物の本数［本］
なお、図１８においては「１００本」としてあるが、１００本に限るものではなく、任意の本数にすることができる。
【００６０】
（iii）図１９に示す表示内容の自動販売機の台数
この台数は、１０本の植物が吸収し得るＣＯ２に相当する自動販売機の台数を示すものであり、次の式で算出される。
自動販売機の台数［台］＝（葉部総面積［ｍ２］×ＣＯ２単位吸収量［ｋｇ／ｍ２］×植物の本数［本］）／自動販売機１台が排出するＣＯ２の量［ｋｇ／台］
なお、図１９においては「１０本」としてあるが、１０本に限るものではなく、例えば「１００本」や「１５００本」など、任意の本数にすることができる。
【００６１】
（iv）図２０に示す表示内容の植物の本数
この本数は、自動販売機１台の稼動により排出されるＣＯ２の量をすべて吸収し得る植物の本数を示すものであり、次の式で算出される。
植物の本数［本］＝自動販売機１台が排出するＣＯ２の量［ｋｇ／台］／（葉部総面積［ｍ２］×ＣＯ２単位吸収量［ｋｇ／ｍ２］）
なお、図２０においては「１台」としてあるが、１台に限るものではなく、例えば「１０台」や「５０台」など、任意の台数にすることができる。
【００６２】
ここで、表示制御部４４が自動販売機以外の対象物を指定した場合は、表示データ算出部４３は、ＣＯ２排出量テーブルを参照して、指定された対象物に対応するＣＯ２単位排出量を検索・抽出して、上述の算出に用いる。
また、表示データ算出部４３は、上述したデータ以外のデータを算出することができる。
（ｖ）ＣＯ２排出量の算出
ＣＯ２排出量は、対象物が複数台あるときのＣＯ２排出量を示すものであり、次の式で算出される。
ＣＯ２排出量［ｋｇ・台］＝ＣＯ２単位排出量［ｋｇ］×台数［台］
【００６３】
表示制御部４４は、検出装置５０ａから検出信号が送信されてくると、表示内容を選択し、表示データ算出部４３に所定のデータを算出させ、これら表示内容及びデータを表示手段３０へ送信して表示させる。
また、表示制御部４４は、表示内容が図１９に示すもの、または、図２０に示すものである場合には、対象物をＣＯ２排出量テーブルから抽出することができる。この場合、表示データ算出部４３は、その抽出された対象物について所定のデータを算出する。また、表示手段３０はその抽出された対象物についての表示内容を表示する。
【００６４】
登録データ制御部４５は、データ登録装置２０から送信されてきた情報を記憶手段１０へ送って記憶させる。
電源制御部４６は、電源装置６０からの電力供給のＯＮ／ＯＦＦを制御する。
【００６５】
（III．検出手段）
次に、検出手段について、図２２を参照して説明する。
同図は、検出手段の構成を示すブロック図である。
検出装置５０ａは、人が植物１００に接近又は接触したことを検出する装置であって、同図に示すように、第一電極５１と、高周波電源５２と、第二電極５３と、検出手段５４と、検出信号出力手段５５とを備えている。
【００６６】
第一電極５１は、植物１００，用土２００，容器３００のうちの一つ又は二つ以上に取り付けられており、高周波電源５２の電圧印加側端子に接続されている。この第一電極５１は、例えば、導電性材料で形成することができる。
なお、植物１００は、従来公知の任意好適な植物を用いることができ、特定の種類（樹種、区分）に限定されるものではない。
用土２００とは、植物１００を植えるための土をいう。この用土２００には、例えば、培養土、改良用土、これらに配合される赤玉土、鹿沼土、腐葉土、パーライトなどが含まれる。この用土２００についても、特定の種類に限定されるものではない。
【００６７】
容器３００は、用土２００を入れる器であって、具体的には、例えば鉢（ポット）やプランタなどが含まれる。この容器３００には、用土２００とともに石や砂利などを入れることができ、さらに、そこに植物１００が植えられる。
この容器３００の形状や材質は、特に限定されるものではない。
なお、容器３００は、同図に示すように、テーブル上に乗せるとともに、プラスチック製の皿などを敷き床面に対して充分な電気的絶縁を保ち、床面から離した位置に設置するのが望ましい。
【００６８】
高周波電源（交流電源）５２は、第一電極５１に高周波電圧を印加する。この高周波電源５２は、例えば周波数５０ｋＨｚ、電圧１０Ｖの高周波を出力することができる。ここで、周波数５０ｋＨｚとしたのは、商用電源の５０Ｈｚからの干渉をなくすために、それよりも充分に高い周波数としたためである。
第二電極５３は、床面に置かれたアース板６１（例えば、アルミ箔など）に取り付けられている。そして、第二電極５３は、検出手段５４を介して高周波電源５２の接地側端子に接続されている。なお、アース板６１は、わざわざ床面に設置しなくても電流検出手段５４、検出信号出力手段５５または電源手段６０の内部静電容量を介して地面に接地されることを応用してもよい。
【００６９】
検出手段５４は、高周波電源５２の接地側端子と第二電極５３との間に接続されており、それら高周波電源５２と第二電極５３との間で生ずる電気的変化を検出する。
具体的には、アース板６１と地面の間の静電容量Ｃｇを介して地面から高周波電源５２へ向かって流れ込む戻り電流を検出する。
【００７０】
この検出手段５４の具体的な回路構成を図２３に示す。
同図に示すように、検出手段５４は、電流検出用抵抗器Ｒ１と、検出用ダイオードＤ１と、小容量コンデンサＣ１と、ゲイン調整用可変抵抗器Ｒ２と、増幅器Ａ１と、電圧比較器Ａ２とを有している。
【００７１】
ここで、電流検出用抵抗器（検出用抵抗器）Ｒ１は、戻り電流を検出する。
この検出により電流検出用抵抗器Ｒ１の両端に発生する電圧ＶＲ１は、図２４に示すようになる。すなわち、人体が植物１００に接近又は接触していないときは、小さい振幅の波形となり（同図（ａ））、一方、人体が植物１００に接近又は接触すると、大きい振幅の波形となる（同図（ｂ））。
この電流検出用抵抗器Ｒ１の抵抗値は、例えば、１０ｋΩとすることができる。
【００７２】
検出用ダイオードＤ１は、電流検出用抵抗器Ｒ１で検出された電圧ＶＲ１を整流する。この検出用ダイオードＤ１の両端の電圧ＶＤ１は、図２５に示すようになる。すなわち、人体が植物１００に接近又は接触したときの電圧（同図（ｂ／２））が、接近又は接触していないときの電圧（同図（ａ／２））に比べて大きくなる。
なお、本実施形態においては、図２４及び図２５に示したように、検出用ダイオードＤ１にて電圧ＶＲ１を整流する構成としてあるが、その整流は半波整流に限るものではない。すなわち、ここでは、検出した交流信号を直流に変換することが目的であるため、整流の手段は、例えば全波整流、倍電圧整流、ブリッジ整流などであってもよい。
【００７３】
結合用の小容量コンデンサＣ１は、高周波のみを通すコンデンサであって、検出用ダイオードＤ１で整流して得られた直流成分を電流検出用抵抗器Ｒ１に逆戻りするのを阻止するとともに、電圧ＶＤ１を平滑化する。
【００７４】
ゲイン調整用可変抵抗器Ｒ２は、増幅器Ａ１のゲインを調整する。このゲイン調整用可変抵抗器Ｒ２を備えることで、増幅器Ａ１から出力された電圧ＶＡ１における（ａ／２）’と（ｂ／２）’との間に基準電圧（閾値電圧）Ｖｓがくるように調整することができる（図２６参照）。
増幅器Ａ１は、ゲイン調整用可変抵抗器Ｒ２で調整されたゲインにしたがって、電圧ＶＤ１を増幅し、増幅電圧ＶＡ１として出力する。
なお、基準電圧Ｖｓは、人体が植物１００に接近又は接触していないときの増幅電圧ＶＡ１を記憶保持したものを利用してもよい。
【００７５】
電圧比較器Ａ２は、基準電圧Ｖｓと、増幅器Ａ１からの増幅電圧ＶＡ１とを比較する。これら比較される電圧の波形を図２６に示す。
比較の結果、増幅電圧ＶＡ１が基準電圧Ｖｓよりも高いとき、すなわち増幅電圧ＶＡ１が（ｂ／２）’のときは、電圧比較器Ａ２から制御信号ＶＡ２が出力される。
一方、増幅電圧ＶＡ１が基準電圧Ｖｓよりも低いとき、すなわち増幅電圧ＶＡ１が（ａ／２）’のときは、電圧比較器Ａ２から制御信号ＶＡ２は出力されない。
【００７６】
検出信号出力手段５５は、検出手段５４からの制御信号にもとづいて検出信号を出力する手段であって、例えばリレードライバ５５−１により構成できる。
リレードライバ５５−１は、電圧比較器Ａ２からの制御信号ＶＡ２にもとづいて検出信号の出力時間を調整する。
このリレードライバ５５−１の動作を図２７に示す。同図に示すように、リレードライバ５５−１は、制御信号ＶＡ２を受けると検出信号の出力を開始し（同図（ｓ））、所定時間（Ｔ）が経過するまで、その検出信号を出力し続ける。そして、所定時間Ｔの経過後（同図（ｅ））、検出信号の出力を停止する。
【００７７】
（IV．環境情報表示方法）
次に、本実施形態の環境情報表示システムの動作（環境情報表示方法）について、図２８〜図３０を参照して説明する。
図２８は、本実施形態の環境情報表示システムの動作のうちデータの登録手順を示すフローチャート、図２９は、葉部総面積及びＣＯ２単位吸収量の算出手順を示すフローチャート、図３０は、環境情報を表示するまでの手順を示すフローチャートである。
【００７８】
（IV−１．植物特定情報及び幹周り情報の登録）
まず、前提として、データ登録装置２０の登録データ送信手段２４が制御手段４０ａに接続されている。
図２８に示すように、データ登録装置２０の登録用制御手段２５の制御により、登録用表示手段２２にオープニング画面が表示される（ステップ１０）。
次いで、登録用入力手段２１での操作により、オープニング画面中のスタートボタンが押下されると（ステップ１１）、植物特定方法選択画面が表示される（ステップ１２）。
【００７９】
登録用入力手段２１での操作により、植物特定方法選択画面に表示された植物特定方法のうち、一つの特定方法が選択されて決定ボタンが押下されると（植物特定方法選択情報の入力、ステップ１３）、この選択された内容が判断される（ステップ１４）。
判断の結果、「植物の名前を選ぶ」が選択されていたときは、次いで、植物名称選択画面が登録用表示手段２２に表示される（ステップ１５）。そして、この植物名称選択画面に表示された植物の各名称のうちの一つが選択されて決定ボタンが押下されると（植物名称情報の入力、ステップ１６）、その選択された内容が判断される（ステップ１７）。
【００８０】
判断の結果、植物の名前のいずれかが選択されているときは、続いて、その選択された植物の名前が「ポトス」か否かが判断される（ステップ１８）。
判断の結果、「ポトス」でないときは、幹周り長さ入力画面が登録用表示手段２２に表示される（ステップ１９）。
登録用入力手段２１での操作により、幹周り長さ入力画面中のインプットボックスに植物の幹周りの長さ（幹周り情報）が入力される（ステップ２０）。そして、決定ボタンが押下されると（ステップ２１）、その入力された幹周り情報と、ステップ１６で入力された植物の名称を示す植物名称情報を登録内容として表示する登録確認画面が登録用表示手段２２に表示される（ステップ２２）。そして、登録用入力手段２１での操作により、登録確認画面に表示された項目（「はい」，「いいえ」，「終了」）のうちの一つが選択されると（登録是非の選択、ステップ２３）、この選択された項目が何であるかが判断される（登録？、ステップ２４）。
判断の結果、「はい」が選択されていたときは、その登録内容である幹周り情報及び植物名称情報が登録データ送信手段２４を介して制御手段４０ａへ送信される（ステップ２５）。一方、「いいえ」が選択されていたときは、植物特定方法選択画面の表示（ステップ１２）に戻る。「終了」の場合は、幹周り情報等の送信を行わずに終了する（ステップ２６）。
【００８１】
なお、幹周り長さ入力画面の表示中に（ステップ１９〜ステップ２１）終了ボタンが押下されると、登録用表示手段２２にオープニング画面が表示される。
また、ステップ１７にて、「戻る」が選択されたものと判断されたときは、植物特定方法選択画面が登録用表示手段２２に表示される（ステップ１２）。さらに、「終了」が選択されたものと判断されたときは、終了する。
なお、「その他」が選択されたものと判断されたときについては、後述する。
【００８２】
ステップ１８にて、植物名称選択画面に表示された植物の名称のうち、「ポトス」が選択されていたときは、次いで、ポトスの鉢の種類入力画面が登録用表示手段２２に表示される（ステップ２７）。
そして、登録用入力手段２１での操作により、ポトスの鉢の種類入力画面に表示された鉢の種類又は項目のうち一つが選択され（ステップ２８）、決定ボタンが押下されると（ステップ２９）、その選択された鉢の種類を登録内容として表示する登録確認画面が登録用表示手段２２に表示される（ステップ２２）。そして、登録用入力手段２１での操作により、登録確認画面に表示された項目（「はい」，「いいえ」，「終了」）のうちの一つが選択されると（登録是非の選択、ステップ２３）、この選択された項目が何であるかが判断される（登録？、ステップ２４）。
判断の結果、「はい」が選択されていたときは、その登録内容であるポトス種類情報が登録データ送信手段２４を介して制御手段４０ａへ送信される（ステップ２５）。一方、「いいえ」が選択されていたときは、植物特定方法選択画面の表示（ステップ１２）に戻る。「終了」の場合は、ポトス種類情報等の送信を行わずに終了する（ステップ２６）。
【００８３】
ステップ１４にて、植物特定方法選択画面に表示された植物特定方法のうち、「植物の区分を選ぶ」が選択されていたときは、次いで、植物区分選択画面が登録用表示手段２２に表示される（ステップ３０）。そして、登録用入力手段２１での操作により、植物区分選択画面に表示された植物の各区分のうちの一つが選択されて決定ボタンが押下されると（植物区分情報の入力、ステップ３１）、この選択された内容が判断される（ステップ３２）。
判断の結果、植物の区分のいずれかが選択されていたときは、続いて、幹周り長さ入力画面が登録用表示手段２２に表示される（ステップ１９）。
登録用入力手段２１での操作により、幹周り長さ入力画面中のインプットボックスに植物の幹周りの長さ（幹周り情報）が入力され（ステップ２０）、決定ボタンが押下されると（ステップ２１）、その入力された幹周り情報と、ステップ２７で入力された植物の区分を示す植物区分情報を登録内容として表示する登録確認画面が登録用表示手段２２に表示される（ステップ２２）。そして、登録用入力手段２１での操作により、登録確認画面に表示された項目（「はい」，「いいえ」，「終了」）のうちの一つが選択されると（登録するか否かの選択、ステップ２３）、この選択された項目が何であるかが判断される（登録？、ステップ２４）。
判断の結果、「はい」が選択されていたときは、その登録内容である幹周り情報及び植物区分情報が登録データ送信手段２４を介して制御手段４０ａへ送信される（ステップ２５）。一方、「いいえ」が選択されていたときは、植物特定方法選択画面の表示（ステップ１２）に戻る。「終了」の場合は、幹周り情報等の送信を行わずに終了する（ステップ２６）。
【００８４】
また、ステップ３２にて、「戻る」が選択されたものと判断されたときは、植物特定方法選択画面が登録用表示手段２２に表示される（ステップ１２）。さらに、「終了」が選択されたものと判断されたときは、終了する。
なお、「不明」が選択されたものと判断されたときについては、後述する。
【００８５】
また、ステップ１４にて、植物特定方法選択画面に表示された植物特定方法のうち、「植物の大きさを入力する」が選択されていたときは、幹周り長さ入力画面が登録用表示手段２２に表示され、ステップ１９〜ステップ２６の処理が実行される。
【００８６】
さらに、ステップ１４にて、植物特定方法選択画面に表示された植物特定方法のうち、「植物を特定しない」が選択されていたときは、登録用表示手段２２に平均ＣＯ２採用確認画面が表示される（ステップ３３）。そして、この平均ＣＯ２採用確認画面に表示された項目（「はい」，「いいえ」，「終了」）のいずれか一つが選択されると（平均ＣＯ２採用情報の入力、ステップ３４）、この選択された項目が何であるかが判断される（ステップ３５）。
判断の結果、「はい」が選択されていたときは、続いて、全植物の平均ＣＯ２吸収量の採用示す平均ＣＯ２採用情報を登録内容として表示する登録確認画面が登録用表示手段２２に表示される（ステップ２２）。そして、登録用入力手段２１での操作により、登録確認画面に表示された項目（「はい」，「いいえ」，「終了」）のうちの一つが選択されると（ステップ２３）、この選択された項目が何であるかが判断される（ステップ２４）。
判断の結果、「はい」が選択されていたときは、その登録内容である平均ＣＯ２採用情報が制御手段４０ａへ送信される（ステップ２５）。一方、「いいえ」が選択されていたときは、植物特定方法選択画面の表示（ステップ１２）が行なわれる。「終了」の場合は、終了する（ステップ２６）。
なお、平均ＣＯ２採用確認画面の表示中に終了ボタンが押下されると、登録用表示手段２２にオープニング画面が表示される。
【００８７】
ステップ１４にて、「戻る」が選択されたものと判断されたときは、オープニング画面が登録用表示手段２２に表示される（ステップ１０）。
ステップ１４にて、「終了」が選択されたものと判断されたときは、終了する。
ステップ１７にて、「その他」が選択されたものと判断されたとき、または、ステップ３２にて、「不明」が選択されたものと判断されたときは、ステップ３３以降の処理が実行される。
なお、終了時には、オープニング画面を登録用表示手段２２に表示させることもできる。
【００８８】
（IV−２．環境情報の表示の準備）
次に、環境情報の表示の準備処理について、図２９を参照して説明する。
この準備処理は、ＣＯ２単位吸収量と葉部総面積とを検索し、抽出し（又は算出し）、記憶するものである。
データ登録装置２０から植物特定情報及び幹周り情報が送信されてくると、制御手段４０ａの登録データ制御部４５が、それらを記憶手段１０へ送って記憶させる（ステップ４０）。
【００８９】
次いで、ＣＯ２単位吸収量算出部４１にて、植物特定情報を用いて、植物別ＣＯ２吸収量テーブル，区分別ＣＯ２吸収量テーブル，ＣＯ２吸収量平均値テーブルのいずれを用いるかが判断される（ＣＯ２吸収量算出のために用いるテーブルの選択、ステップ４１）。
例えば、植物特定情報が、植物名称情報であるときは、植物別ＣＯ２吸収量テーブルが選択される。また、植物区分情報であるときは、区分別ＣＯ２吸収量テーブルが選択される。さらに、平均ＣＯ２採用情報であるときは、ＣＯ２吸収量平均値テーブルが選択される。
【００９０】
そして、この選択されたテーブルを用いてＣＯ２単位吸収量が検索・抽出（算出）され、記憶手段１０へ送られて記憶される（ステップ４２）。
例えば、植物特定情報が「シャリンバイ」を示す植物名称情報であるときは、植物別ＣＯ２吸収量テーブルが参照され、ＣＯ２単位吸収量が４．２［ｋｇ／ｍ２・年］が抽出される。
また、植物特定情報が「落葉広葉樹高木」を示す植物区分情報であるときは、区分別ＣＯ２吸収量テーブルが参照され、ＣＯ２単位吸収量が３．２［ｋｇ／ｍ２・年］が抽出される。
さらに、植物特定情報が平均ＣＯ２採用情報であるときは、ＣＯ２吸収量平均値テーブルが参照され、ＣＯ２単位吸収量が３．４［ｋｇ／ｍ２・年］が抽出される。
これら抽出されたＣＯ２単位吸収量（各テーブルにもとづき算出されたＣＯ２単位吸収量）が記憶される。
【００９１】
続いて、葉部総面積算出部４２にて、葉部総面積換算テーブル（高木、中低木）が参照され、幹周り情報の示す幹周りの長さと植物特定情報の示す植物の区分又は名称に対応する葉部総面積が検索・抽出される。この抽出された葉部総面積は、記憶手段１０へ送られて記憶される（ステップ４３）。
なお、データ登録装置２０からポトス種類情報が送信されてきたときは、これが記憶手段１０に記憶される。そして、葉部総面積算出部４２にて、葉部総面積換算テーブル（ポトス）が参照され、ポトス種類情報に対応する葉部総面積が検索・抽出される。この抽出された葉部総面積は、記憶手段１０へ送られて記憶される。
【００９２】
（IV−３．環境情報の表示）
次に、環境情報の表示手順について、図３０を参照して説明する。
人が植物に接近又は接触すると、この接近又は接触したことが検出装置５０ａで検出され（ステップ５０）、検出信号が制御手段４０ａへ送られる。
制御手段４０ａの表示制御部４４にて、検出信号を受信したことにもとづいて、表示内容が選択される（ステップ５１）。表示内容としては、例えば、図１７〜図２０に示すものが挙げられる。また、この選択は、ランダムに選ぶことができる。
【００９３】
そして、この選択された表示内容に必要な数値が表示データ算出部４３で算出される（ステップ５２）。
例えば、表示内容が図１７に示すものである場合、必要な数値としては、「△△△が１日に吸収できるＣＯ２量」となる。これは、葉部総面積にＣＯ２単位吸収量を乗算することで算出できる。なお、「△△△」は、植物名称情報の示す植物の名称が該当する（以下同じ）。
また、表示内容が図１８に示すものである場合、必要な数値としては、「△△△が１００本あるときに、１日に吸収できるＣＯ２量」となる。これは、葉部総面積とＣＯ２単位吸収量と本数とを乗算することで算出できる。
【００９４】
さらに、表示内容が図１９に示すものである場合、必要な数値としては、「１０本の△△△が吸収できるＣＯ２量に相当する自動販売機の台数」となる。これは、（葉部総面積×ＣＯ２単位吸収量×１０本）／（自動販売機１台が排出するＣＯ２の量）により算出できる。
また、表示内容が図２０に示すものである場合、必要な数値としては、「自動販売機１台が排出するＣＯ２をすべて吸収できる△△△の本数」となる。これは、（自動販売機１台が排出するＣＯ２の量）／（葉部総面積×ＣＯ２単位吸収量）により算出できる。
【００９５】
続いて、表示データ算出部４３での算出が終了すると、表示制御部４４は、選択した表示内容と算出されたデータとを表示手段３０へ送信して表示させる（ステップ５３）。
なお、表示内容は、人が植物に接近又は接触するごとに変えることができる。また、所定時間経過ごとに変えることもできる。
【００９６】
（IV−４．検出装置の動作）
次に、本実施形態の検出装置の動作について、図２２〜図２７を参照して説明する。
なお、図２２に示すように、植物１００（葉）と人体（手）との間の静電容量をＣｈｌ、容器３００と人体との間の静電容量をＣｓｂ、容器３００とアース板６１との間の静電容量をＣｓｇ、人体と地面（ＧＮＤ）との間の静電容量をＣｂｇ、地面とアース板６１との間の静電容量をＣｇとする。
【００９７】
高周波電源５２が起動され、この高周波電源５２から第一電極５１に高周波電圧Ｖｈｆが印加される。
人体が植物１００に接近又は接触していない状態では、検出手段５４にて、ベース電圧（図２４の電圧ａ）が検出される。
【００９８】
その後、人体が植物１００に接近又は接触すると、その植物１００（葉）と人体（手）との間の静電容量Ｃｈｌを介して人体に静電誘導電流が流れ、これが、さらに人体と地面との静電容量Ｃｂｇを通して地面に流れ込む。
そして、アース板６１と地面との間の静電容量Ｃｇを介して地面から高周波電源５２へ戻り電流が流れ込む。
【００９９】
検出手段５４の電流検出用抵抗器Ｒ１では、戻り電流が検出され、電圧ＶＲ１が発生する。その電圧ＶＲ１は、人体が植物１００に接近又は接触していない状態では、図２４で電圧ａとして示したように小さい振幅の波形となり、一方、人体が植物１００に接近又は接触している状態では、図２４で電圧ｂとして示したように大きい振幅の波形となる。すなわち、電圧ｂは、電圧ａよりも大きい電圧値となる。
そのＶＲ１は、検出用ダイオードＤ１で整流され、小容量コンデンサＣ１で平滑される（図２５参照）。整流された後の電圧ＶＤ１は、ゲイン調整用可変抵抗器Ｒ２で調整されたゲインにもとづき、増幅器Ａ１で増幅され、増幅電圧ＶＡ１として出力される。
【０１００】
電圧比較器Ａ２にて、増幅器Ａ１からの増幅電圧ＶＡ１と基準電圧Ｖｓとが比較される（図２６参照）。ここで、増幅電圧ＶＡ１が基準電圧Ｖｓよりも高い値のときは、電圧比較器Ａ２から制御信号ＶＡ２が出力される。一方、増幅電圧ＶＡ１が基準電圧Ｖｓよりも低い値のときは、電圧比較器Ａ２から制御信号ＶＡ２は出力されない。
【０１０１】
電圧比較器Ａ２から出力された制御信号ＶＡ２は、検出信号出力手段５５へ送られ、その制御信号ＶＡ２の入力にもとづき検出信号が出力される。
検出信号は、図２７のＴで示された時間、出力される。これにより、制御手段４０ａが表示手段３０への表示制御を行う。
【０１０２】
このように、検出装置５０ａは、人体が植物１００に接近又は接触すると、第二電極５３から高周波電源５２に流れ込む戻り電流の値が変化することを利用して、検出信号の出力を制御することができる。
ここで、戻り電流が変化するのは、人体が植物１００に接近又は接触している場合としていない場合とで、静電誘導電流（戻り電流）が流れるための回路構成が相違するからである。
【０１０３】
例えば、人体が植物１００に接近又は接触していない場合の回路構成は、高周波電源５２−第一電極５１−容器３００−静電容量Ｃｓｇ−アース板６１−第二電極５３−検出手段５４−高周波電源５２となる。
一方、人体が植物１００に接近又は接触している場合の回路構成は、上述の回路構成に、さらに、第一電極５１−植物１００−静電容量Ｃｈｌ−人体−静電容量Ｃｂｇ−静電容量Ｃｇ−アース板６１という経路が加わった回路構成となる。なお、この場合は、静電容量Ｃｓｂも影響する。
【０１０４】
このように静電誘導電流（戻り電流）が流れるための回路構成がそれぞれ相違することから、検出手段５４では、人体が植物１００に接近又は接触している場合としていない場合とで異なった値の戻り電流を検出できる。これにより、人間が植物１００に接近又は接触したことを、検出手段１００が確実に検出して検出信号を出力することができる。
【０１０５】
以上説明したように、本実施形態の環境情報表示システム及び環境情報表示方法によれば、ＣＯ２の排出量や吸収量を表示手段に表示するため、地球温暖化に対する意識を向上させることができる。
また、その表示内容が、目の前にある植物が吸収するＣＯ２の量や、自動販売機の稼動によるＣＯ２の排出量であるように、身近な話題で構成されているため、地球温暖化に関する知識を親しみやすく、わかりやすく伝えることができる。
さらに、植物に接近又は接触することで環境に関する情報が表示されるため、簡易かつ楽しみながら、その情報を得ることができる。
【０１０６】
［第二実施形態］
次に、本発明の環境情報表示システム及び環境情報表示方法の第二の実施形態について、図３１を参照して説明する。
同図は、本実施形態の環境情報表示システムの構成を示すブロック図である。
本実施形態は、第一実施形態と比較して、植物の数と、表示手段での表示内容が相違する。すなわち、第一実施形態では、植物の数が１本であるのに対し、本実施形態では、２本である。また、第一実施形態では、表示内容の切り替えは想定していないが、本実施形態では、異なる植物に触れることで表示内容の全体又は一部を切り替えて表示させる。他の構成要素は第一実施形態と同様である。
したがって、図３１において、図１と同様の構成部分については同一の符号を付して、その詳細な説明を省略する。
【０１０７】
図３１に示すように、環境情報表示システム１ｂは、記憶手段１０ｂと、データ登録装置２０と、表示手段３０と、制御手段４０ｂと、検出装置５０ｂ（５０ｂ−１、５０ｂ−２）と、電源手段６０とを備えている。また、植物１００が２本設置されている（植物１００−１、１００−２）。
【０１０８】
ここで、記憶手段１０ｂは、表示手段３０に表示される内容を表すデータを記憶する。具体的には、例えば、次に示す表示内容を表すデータを記憶する。
「ボク（△△△）は◆◆◆日に○○○ｋｇのＣＯ２を吸収できるよ！」（図３２）
「ボク（△△△）が◆◆◆本あれば、１日に○○○ｋｇのＣＯ２を吸収できるよ！」（図３３）
「ボク（△△△）が◆◆◆本あれば、飲料用自動販売機○○○台が排出するＣＯ２をすべて吸収できるよ！」（図３４）
「飲料用自動販売機◆◆◆台が排出するＣＯ２をすべて吸収するには、ボク（△△△）が○○○本必要だよ！」（図３５）
これら図３２〜図３５に示す表示内容は、図１７〜図２０の表示内容と近似しているが、「◆◆◆」の部分が相違する。
表示手段３０は、図３２〜図３５に示す表示内容を環境情報として表示する。
【０１０９】
制御手段４０ｂは、図３６に示すように、葉部総面積算出部４２と、ＣＯ２単位吸収量算出部４１と、表示データ算出部４３ｂと、表示制御部４４ｂと、登録データ制御部４５と、電源制御部４６とを有している。
表示データ算出部４３ｂは、表示制御部４４ｂから指示を受けたデータを算出する。具体的には、図３２に示す表示内容における日数、図３３に示す表示内容における本数、図３４に示す表示内容における本数、図３５に示す表示内容における台数などを算出する。
【０１１０】
表示制御部４４ｂは、検出装置５０ｂ−１からの検出信号を受けると、図３２〜図３５に示す表示内容のいずれか一つを選んで、そのデータを記憶手段１０ｂから取り出し、表示手段３０へ送って表示させる。また、検出装置５０ｂ−１からの検出信号を受けるごとに、その都度、図３２〜図３５に示す表示内容のいずれか一つを選んで表示手段３０に表示させる（表示内容を切り換える）。
さらに、表示制御部４４ｂは、検出装置５０ｂ−２からの検出信号を受けた場合において、図３２〜図３５に示す表示内容のいずれもが表示手段３０に表示されていないときは、図３２〜図３５に示す表示内容のいずれか一つを選んで、そのデータを記憶手段１０ｂから取り出し、表示手段３０へ送って表示させる。また、既に図３２〜図３５に示す表示内容のいずれかが表示されているときは、その表示内容の一部（例えば、「△△△」、「◆◆◆」、「○○○」のうちの一又は二以上）を変更して表示させる。
【０１１１】
つまり、背丈の高い植物１００−１に接近又は接触するたびに、表示手段３０の表示内容が切り換わる。一方、背丈の低い植物１００−２に接近又は接触するたびに、表示手段３０に表示された内容の一部が切り換わる。
具体的には、例えば、表示内容が図３２に示す「ボク（△△△）は◆◆◆日に○○ｋｇのＣＯ２を吸収できるよ！」の場合、次いで、植物１００−２に触ると、「ボク（△△△）は１日に○○ｋｇのＣＯ２を吸収できるよ！」のように表示され、次に触ると、「ボク（△△△）は１０日で○○○ｋｇのＣＯ２を吸収できるよ！」のように表示され、さらに触ると、「ボク（△△△）は２０日で○○○ｋｇのＣＯ２を吸収できるよ！」のように表示される。
【０１１２】
なお、植物１００−２に接近又は接触することで「△△△」、「◆◆◆」、「○○○」の値が切り換わる場合、それら値は、規則性をもって増加または減少させてもよく、また、ランダムな値でもよい。
例えば、１０日→２０日→３０日→４０日→５０日・・・でもよく、また、１０日→１日→２００日→５０日→１００日・・・などでもよい。
【０１１３】
検出装置５０ｂは、各植物１００ごとに設置されている。
検出装置５０ｂ−１は、人が植物１００−１に接近又は接触したことを検出する装置である。つまり、検出装置５０ｂ−１の第一電極５１−１は、植物１００−１、用土２００−１、容器３００−１のいずれかに接続されている。
一方、検出装置５０ｂ−２は、人が植物１００−２に接近又は接触したことを検出する装置である。つまり、検出装置５０ｂ−２の第一電極５１−２は、植物１００−２、用土２００−２、容器３００−２のいずれかに接続されている。
【０１１４】
植物１００は、背丈の高い植物１００−１と、背丈の低い植物１００−２の二本が配置される。植物１００−１は、用土２００−１の入った容器３００−１に植えられており、植物１００−２は、用土２００−２の入った容器３００−２に植えられている。
【０１１５】
次に、本実施形態の環境情報表示システムの動作（環境情報表示方法）について、図３７を参照して説明する。
同図は、本実施形態の環境情報表示システムの動作を示すフローチャートである。
まず、表示手段３０にはいずれの表示内容も表示されていないものとする。
人が植物１００−１又は１００−２に接近又は接触したことが検出装置５０ｂ−１又は５０ｂ−２で検出されると（ステップ６０）、検出信号が、制御手段４０ｂへ送られる。
制御手段４０ｂの表示制御部４４ｂにて、検出信号の受信にもとづき、複数の表示内容の中から一つの表示内容が選択され、表示手段３０に表示される（ステップ６１）。
【０１１６】
なお、ステップ６０においては、表示手段３０にいずれの表示内容も表示されていないため、制御手段４０ｂは、人が植物に接近又は接触したことに起因して、表示手段３０にいずれか一つの表示内容を表示させる。このとき、人が接近又は接触する植物は、植物１００−１であってもよく、また、植物１００−２であってもよい。なお、植物１００−１に人が接近又は接触したときには、検出装置５０ｂ−１が検出信号を出力し、植物１００−２に人が接近又は接触したときには、検出装置５０ｂ−２が検出信号を出力する。
【０１１７】
表示手段３０にいずれか一つの表示内容が表示され、その後、人が植物１００に接近又は接触して、検出装置５０ｂから検出信号が出力され、表示制御部４４ｂがその検出信号を受信すると（ステップ６２）、この検出信号が検出装置５０ｂ−１又は５０ｂ−２のいずれから送られてきたものかが判断される（ステップ６３）。
判断の結果、検出装置５０ｂ−１から送られてきたものであるときは、表示手段３０に現在表示されている表示内容以外の表示内容を選択し、表示手段３０へ送って表示させる（ステップ６４）。
【０１１８】
一方、検出装置５０ｂ−２から送られてきたものであるときは、表示手段３０に現在表示されている表示内容の一部、例えば「△△△」、「◆◆◆」、「○○○」などを変更して表示させる（ステップ６５）。
【０１１９】
このように、本実施形態の環境情報表示システム及び環境情報表示方法によれば、人の意思により、表示内容を切り換えることができる。したがって、地球温暖化に関する知識を親しみやすく知得することができる。
【０１２０】
［第三実施形態］
次に、本発明の環境情報表示システム及び環境情報表示方法の第三の実施形態について、図３８を参照して説明する。
同図は、本実施形態の環境情報表示システムの構成を示すブロック図である。
本実施形態は、第一実施形態と比較して、植物の数と、表示手段での表示内容が相違する。すなわち、第一実施形態では、植物の数が１本であるのに対し、本実施形態では、複数本である。また、第一実施形態では、表示内容の切り替えは想定していないが、本実施形態では、異なる植物に触れることで、その触れた植物に関連付けられて表示内容に切り替えて表示させることができる。他の構成要素は第一実施形態と同様である。
したがって、図３８において、図１と同様の構成部分については同一の符号を付して、その詳細な説明を省略する。
【０１２１】
図３８に示すように、環境情報表示システム１ｃは、記憶手段１０ｃと、データ登録装置２０と、表示手段３０と、制御手段４０ｃと、検出装置５０ｃ（５０ｃ−１、５０ｃ−２）と、電源手段６０とを備えている。また、植物１００が複数本設置されている（植物１００−１〜１００−ｎ）。
ここで、記憶手段１０ｃは、表示手段３０に表示される内容を表すデータを記憶する。このデータの具体例は、第一実施形態や第二実施形態と同じものとすることができる。
【０１２２】
また、記憶手段１０ｃは、図３９に示すように、検出信号を出力した検出装置５０ｃと表示内容との対応を示した検出表示対応テーブルを記憶する。
この検出表示対応テーブルにおける表示内容の具体例としては、例えば、図４０に示すように、検出装置５０ｃ−１〜５０ｃ−ｎが接続された植物１００−１〜１００−ｎの各名称と、それら植物１００−１〜１００−ｎのそれぞれのＣＯ２吸収量により構成することができる。
また、表示内容の他の具体例としては、例えば、各植物１００の説明（原産地、生息地、実や花の特徴、栽培の方法、その他の事項）であってもよい。さらに、検出装置５０ｃや植物１００とは直接関係しないもの、例えば、さまざまな動物のイラストや漫画のキャラクター、クイズ、アンケート、宣伝、広告などであってもよい。
【０１２３】
さらに、記憶手段１０ｃは、表示手段３０に表示される内容を表すデータを記憶する。具体的には、例えば、次に示す文章を表すデータを記憶する。
「ボク（△△△）は◆◆◆年に○○○ｋｇのＣＯ２を吸収できるよ！」（図４１、図４２）
この文章のうち、「△△△」や「○○○」の部分については、検出表示対応テーブルの表示内容を参照して表示させることができる。また、「◆◆◆」については、任意の数値を用いることができる。ここで、「◆◆◆年」が「１年」の場合は、検出表示対応テーブルの表示内容をそのまま用いることができる。また、「◆◆◆年」が例えば「１０年」や「１日」のように「１年」と異なる場合は、その日数に相当するＣＯ２吸収量を算出して表示する。例えば、ポトスについて「１０年」の場合は、２．５×１０＝２５［ｋｇ／ｍ２］のように計算し、この２５を「○○○」に表示させる。
表示手段３０は、例えば、図４１や図４２に示す文章などを表示する。
【０１２４】
制御手段４０ｃは、図４３に示すように、葉部総面積算出部４２と、ＣＯ２単位吸収量算出部４１と、表示データ算出部４３と、表示制御部４４ｃと、登録データ制御部４５と、電源制御部４６とを有している。
表示制御部４４ｃは、検出装置５０ｃから検出信号を受けると、この検出信号がどの検出装置５０ｃから出力されたものかを判断し、この出力元の検出装置５０ｃに対応する表示内容を検出表示対応テーブルを参照して抽出し、この抽出した表示内容を示すデータを記憶手段１０ｃから取り出して、表示手段３０へ送り表示させる。
【０１２５】
例えば、検出表示対応テーブルが図４０に示すものである場合において、人体が植物１００−１に接近又は接触したために、検出信号を送信してきた検出装置５０ｃが検出装置５０ｃ−１であるときは、表示内容を「ポトス」と「２．５」とし、表示手段３０には図４１に示すように「ボク（ポトス）は１年に２．５ｋｇのＣＯ２を吸収できるよ！」という文章を表示させる。
また、続いて、人体が植物１００−１に接近又は接触し、検出信号を送信してきた検出装置５０ｃが検出装置５０ｃ−２であるときは、表示内容を「ベンジャミン」と「０．１」とし、表示手段３０には図４２に示すように「ボク（ベンジャミン）は１年に０．１ｋｇのＣＯ２を吸収できるよ！」という文章を表示させる。
このように、複数ある植物１００ごとに表示内容が決められているため、人体が異なる植物１００に接近又は接触するたびに、異なる表示内容を表示させることができる。
【０１２６】
検出装置５０ｃは、各植物１００ごとに設置されている。
検出装置５０ｃ−１は、人が植物１００−１に接近又は接触したことを検出する装置である。つまり、検出装置５０ｃ−１の第一電極５１−１は、植物１００−１、用土２００−１、容器３００−１のいずれかに接続されている。また、検出装置５０ｃ−２は、人が植物１００−２に接近又は接触したことを検出する装置である。つまり、検出装置５０ｃ−２の第一電極５１−２は、植物１００−２、用土２００−２、容器３００−２のいずれかに接続されている。さらに、検出装置５０ｃ−ｎは、人が植物１００−ｎに接近又は接触したことを検出する装置である。つまり、検出装置５０ｃ−ｎの第一電極５１−ｎは、植物１００−ｎ、用土２００−ｎ、容器３００−ｎのいずれかに接続されている。
【０１２７】
植物１００は、複数配置される。植物１００−１は、用土２００−１の入った容器３００−１に植えられており、植物１００−２は、用土２００−２の入った容器３００−２に植えられており、植物１００−ｎは、用土２００−ｎの入った容器３００−ｎに植えられている。
【０１２８】
次に、本実施形態の環境情報表示システムの動作（環境情報表示方法）について、図４４を参照して説明する。
同図は、本実施形態の環境情報表示システムの動作を示すフローチャートである。
複数ある植物１００のいずれかに人体が接近又は接触し、その植物１００に接続された検出装置５０ｃから検出信号が出力されると（ステップ７０）、この検出信号が、制御手段４０ｃへ送られる。
制御手段４０ｃの表示制御部４４ｃにて、検出信号の受信にもとづき、この受信した検出信号の送信元である検出装置５０ｃが特定される（ステップ７１）。
次いで、この特定した検出装置５０ｃに対応する表示内容が、検出表示対応テーブルを参照して特定される（ステップ７２）。
そして、この特定された表示内容を示すデータが記憶手段１０ｃから取り出され、表示手段３０へ送られて表示される（ステップ７３）。
【０１２９】
続けて、複数ある植物１００のいずれかに人体が接近又は接触し、その植物１００に接続された検出装置５０ｃから検出信号が出力されると（ステップ７４）、この検出信号が、制御手段４０ｃへ送られる。
制御手段４０ｃの表示制御部４４ｃにて、検出信号の受信にもとづき、この受信した検出信号の送信元である検出装置５０ｃが特定される（ステップ７１）。ここで、今回の検出信号の送信元である検出装置５０ｃが前回の送信元である検出装置５０ｃと異なる場合は、表示手段３０には、前回と異なった内容が表示される。つまり、異なる植物１００に接近又は接触することで、表示内容を切り換えることができる。
【０１３０】
このように、本実施形態の環境情報表示システム及び環境情報表示方法によれば、人の意思により、表示内容を切り換えることができる。したがって、地球温暖化に関する知識を親しみやすく知得することができる。
【０１３１】
［第四実施形態］
次に、本発明の環境情報表示システム及び環境情報表示方法の第四の実施形態について、図４５を参照して説明する。
同図は、本実施形態の環境情報表示システムの構成を示すブロック図である。
本実施形態は、第一実施形態と比較して、検出の対象が相違する。すなわち、第一実施形態では、人が植物に接近又は接触したことを検出の対象としていたのに対し、本実施形態では、植物の植えられた用土の水分を検出対象とする。他の構成要素は第一実施形態と同様である。
したがって、図４５において、図１と同様の構成部分については同一の符号を付して、その詳細な説明を省略する。
【０１３２】
図４５に示すように、環境情報表示システム１ｄは、記憶手段１０と、データ登録装置２０と、表示手段３０と、制御手段４０ｄと、検出装置５０ｄと、電源手段６０とを備えている。
ここで、検出装置５０ｄは、第一電極５１と、高周波電源５２と、第二電極５３と、検出手段５４ｄと、検出信号出力手段５５とを備えている。
【０１３３】
検出手段５４ｄは、高周波電源５２の接地側端子と第二電極５３との間に接続されており、それら高周波電源５２と第二電極５３との間で生ずる電気的変化を検出する。具体的には、アース板６１と地面の間の静電容量Ｃｇを介して地面から高周波電源５２へ向かって流れ込む戻り電流を検出する。
この検出手段５４の具体的な回路構成は、図２３に示すものと同じである。ただし、電圧比較器Ａ２の基準電圧Ｖｓｄが、図４６に示すように、通常のＶＡ１の波形より若干下の位置にある。これは、用土２００の水分が少なくなってＶＡ１の波形が下がることを検出するためである。
【０１３４】
制御手段４０ｄは、検出装置５０ｄからの検出信号を受信すると、図４７に示すような画面を表示手段３０に表示させる。
【０１３５】
次に、本実施形態の環境情報表示システムの動作について、図４８を参照して説明する。
同図は、本実施形態の環境情報表示システムの動作を示すフローチャートである。
用土２００の水分が少なくなったことが、検出装置５０ｄで検出されると（ステップ８０）、検出信号が出力される。この検出信号を受けた制御手段４０ｄの表示制御部４４ｄが、図４７に示すような画面を示すデータを記憶手段１０から取り出し、表示手段３０へ送って表示させる（ステップ８１）。
【０１３６】
［第五実施形態］
次に、本発明の環境情報表示システム及び環境情報表示方法の第五の実施形態について、図４９を参照して説明する。
同図は、本実施形態の環境情報表示システムの構成を示すブロック図である。
本実施形態は、第一実施形態と比較して、検出可能な人の数が相違する。すなわち、第一実施形態では、人の数自体は検出できなかったのに対し、本実施形態では、人の数の多い少ないを検出し、これにもとづく表示内容の変更を可能とする。他の構成要素は第一実施形態と同様である。
したがって、図４９において、図１と同様の構成部分については同一の符号を付して、その詳細な説明を省略する。
【０１３７】
図４９に示すように、環境情報表示システム１ｅは、記憶手段１０と、データ登録装置２０と、表示手段３０と、制御手段４０ｅと、検出装置５０ｅと、電源手段６０とを備えている。
ここで、検出装置５０ｅは、第一電極５１と、高周波電源５２と、第二電極５３と、検出手段５４ｅと、検出信号出力手段５５とを備えている。
【０１３８】
検出手段５４ｅは、図５０に示すように、電流検出用抵抗器Ｒ１と、検出用ダイオードＤ１と、小容量コンデンサＣ１と、ゲイン調整用可変抵抗器Ｒ２と、増幅器Ａ１と、電圧比較器Ａ２と、電圧比較器Ａ３とを有している。
電圧比較器Ａ３は、人が複数人であるか否かを検知する。
具体的には、検出手段５４の抵抗Ｒ１の両端の電圧は、図５１に示すように、人が植物１００に接近又は接触していないときは「ａ」、一人が接近等しているときは「ｂ」、二人が接近等しているときは「ｃ」のようになる。
そして、電圧比較器Ａ２の基準電圧Ｖｓと、電圧比較器Ａ３の基準電圧Ｖｓｅをそれぞれ図５２に示すような位置にすることで、図５１におけるａ、ｂ、ｃの波形をそれぞれ検出できる。
【０１３９】
検出信号出力手段５５は、入力した信号にもとづき異なる検出信号を制御手段４０へ送る。
制御手段４０ｅは、検出装置５０ｅからの検出信号を受信すると、この受信した検出信号の内容にもとづいて表示内容（例えば、図５３に示すような内容）を選択し表示手段３０に表示させる。
【０１４０】
次に、本実施形態の環境情報表示システムの動作について、図５４を参照して説明する。
同図は、本実施形態の環境情報表示システムの動作を示すフローチャートである。
人が植物１００に接近又は接触したことが、検出装置５０ｅで検出されると（ステップ９０）、検出信号が出力される。この検出信号を受けた制御手段４０ｅの表示制御部４４ｅが、その検出信号にもとづいて人の数を特定し（ステップ９１）、この人の数に応じた表示内容を選択し、この表示内容を示すデータを記憶手段１０から取り出し、表示手段３０へ送って表示させる（ステップ９２）。
【０１４１】
以上、本発明の環境情報表示システム及び環境情報表示方法の好ましい実施形態について説明したが、本発明に係る環境情報表示システム及び環境情報表示方法は上述した実施形態にのみ限定されるものではなく、本発明の範囲で種々の変更実施が可能であることは言うまでもない。
例えば、上述した実施形態では、表示手段や植物を一つのみ備える構成としたが、一つに限るものではなく、複数備えることもできる。
また、検出装置は、図２２や図２３に示す構成としたが、この構成に限るものではなく、人体が植物に接近又は接触したことを検出する構成であれば、特に限定されるものではない。
【０１４２】
なお、本発明の環境情報表示システム及び環境情報表示方法は、第一実施形態〜第五実施形態のそれぞれにおける環境情報表示システム及び環境情報表示方法を任意に組み合わせたものであってもよい。
【産業上の利用可能性】
【０１４３】
本発明は、環境情報の表示に関する発明であるため、環境情報を表示する装置や機器に利用可能である。
【図面の簡単な説明】
【０１４４】
【図１】本発明の第一実施形態における環境情報表示システムの構成を示すブロック図である。
【図２】植物別ＣＯ２吸収量テーブルの構成を示す図表である。
【図３】区分別ＣＯ２吸収量テーブルの構成を示す図表である。
【図４】ＣＯ２吸収量平均値テーブルの構成を示す図表である。
【図５】葉部総面積換算テーブル（高木、中低木）の構成を示す図表である。
【図６】葉部総面積換算テーブル（ポトス）の構成を示す図表である。
【図７】ＣＯ２排出量テーブルの構成を示す図表である。
【図８】データ登録装置の構成を示すブロック図である。
【図９】オープニング画面の構成を示す図である。
【図１０】植物特定方法選択画面の構成を示す図である。
【図１１】植物名称選択画面の構成を示す図である。
【図１２】ポトスの鉢の種類入力画面の構成を示す図である。
【図１３】植物区分選択画面の構成を示す図である。
【図１４】幹周り長さ入力画面の構成を示す図である。
【図１５】平均ＣＯ２採用確認画面の構成を示す図である。
【図１６】登録確認画面の構成を示す図である。
【図１７】表示手段に表示される内容の一例を示す図である。
【図１８】表示手段に表示される内容の他の例を示す図である。
【図１９】表示手段に表示される内容のさらに他の例を示す図である。
【図２０】表示手段に表示される内容の別の例を示す図である。
【図２１】制御手段の構成を示すブロック図である。
【図２２】検出装置の構成を示す概略図である。
【図２３】検出装置における検出手段等の構成を示す回路図である。
【図２４】検出手段の電流検出用抵抗器において戻り電流が検出されたときの波形を示す波形図である。
【図２５】電流検出用抵抗器で発生した電圧を整流した波形を示す波形図である。
【図２６】図２５に示した電圧を増幅した波形を示す波形図である。
【図２７】検出信号の経時変化を示す波形図である。
【図２８】幹周り情報及び植物特定情報の登録の動作手順を示すフローチャートである。
【図２９】葉部総面積及びＣＯ２単位吸収量の算出の動作手順を示すフローチャートである。
【図３０】人が植物に接近又は接触してから表示手段に環境情報を表示させるまでの動作手順を示すフローチャートである。
【図３１】第二実施形態における環境情報表示システムの構成を示すブロック図である。
【図３２】表示手段に表示される内容の一例を示す図である。
【図３３】表示手段に表示される内容の他の例を示す図である。
【図３４】表示手段に表示される内容のさらに他の例を示す図である。
【図３５】表示手段に表示される内容の別の例を示す図である。
【図３６】制御手段の構成を示すブロック図である。
【図３７】第二実施形態における環境情報表示システムの動作手順を示すフローチャートである。
【図３８】第三実施形態における環境情報表示システムの構成を示すブロック図である。
【図３９】検出表示対応テーブルの構成を示す図である。
【図４０】検出表示対応テーブルの具体例を示す図である。
【図４１】第三実施形態における表示手段の表示例を示す図である。
【図４２】第三実施形態における表示手段の他の表示例を示す図である。
【図４３】制御手段の構成を示すブロック図である。
【図４４】第三実施形態における環境情報表示システムの動作手順を示すフローチャートである。
【図４５】第四実施形態における環境情報表示システムの構成を示すブロック図である。
【図４６】検出手段における検出波形を示す波形図である。
【図４７】表示手段の表示例を示す図である。
【図４８】第四実施形態における環境情報表示システムの動作手順を示すフローチャートである。
【図４９】第五実施形態における環境情報表示システムの構成を示すブロック図である。
【図５０】検出装置の構成を示すブロック図である。
【図５１】検出手段における検出波形を示す波形図である。
【図５２】検出手段における検出波形を示す波形図である。
【図５３】表示手段に表示される例を示す図である。
【図５４】第五実施形態における環境情報表示システムの動作手順を示すフローチャートである。
【符号の説明】
【０１４５】
１ａ〜１ｅ  環境情報表示システム
１０  記憶手段
２０  データ登録装置
２１  登録用入力手段
２２  登録用表示手段
２３  登録データ記憶手段
２４  登録データ送信手段
２５  登録用制御手段
３０  表示手段
４０ａ〜４０ｅ  制御手段
４１  ＣＯ２単位吸収量算出部
４２  葉部総面積算出部
４３  表示データ算出部
４４  表示制御部
４５  登録データ制御部
５０ａ〜５０ｅ  検出装置
【手続補正３】
【補正対象書類名】図面
【補正対象項目名】図３６
【補正方法】変更
【補正の内容】
【図３６】
2008268381.tif 000057
【手続補正４】
【補正対象書類名】図面
【補正対象項目名】図４３
【補正方法】変更
【補正の内容】
【図４３】
2008268381.tif 000058